(57)【要約】【課題】情報処理装置を介して通話装置の操作を行うことを可能にするとともに、通話装置を手に取ることなく、その通話装置を介した通話を可能にする。【解決手段】テレビ４は、リモートコントローラ１６を用いて携帯電話機５を操作することのできる携帯電話機操作モードにおいて、携帯電話機５が通話を開始したことを検出する通話開始/終了通知受信部８１と、通話開始/終了通知受信部８１が通話の開始を検出した後、携帯電話機５が通話先から受信した音声信号を携帯電話機５から受信して、リモートコントローラ１６が備える音声出力部８６に送信するとともに、リモートコントローラ１６が備える音声入力部８７から受信した音声信号を、上記通話先に送信する音声信号として携帯電話機５に送信するテレビ側通話制御部８３とを備えている。【選択図】図１５
2012109857.tif 000002
【特許請求の範囲】
【請求項１】
遠隔操作装置から受信した制御信号に従って処理を行う通常動作モードと、遠隔操作装置から受信した制御信号に基づき、該制御信号に予め対応付けられた、通話装置の動作を制御するための通話装置制御信号を生成して該通話装置に送信する通話装置制御モードとを有する情報処理装置であって、
自装置が上記通話装置制御モードとなっている状態において、上記通話装置が通話を開始したことを検出する通話検出手段と、
上記通話検出手段が通話の開始を検出した後、上記通話装置が通話先から受信した音声信号を該通話装置から受信して、自装置または上記遠隔操作装置が備える、音声を出力する音声出力装置に送信する受信音声転送手段と、
上記通話検出手段が通話の開始を検出した後、自装置または上記遠隔操作装置が備える、入力された音声に応じた音声信号を生成する音声入力装置から受信した音声信号を、上記通話先に送信する音声信号として、上記通話装置に送信する送信音声転送手段とを備えていることを特徴とする情報処理装置。
【請求項２】
上記通話検出手段は、上記通話装置が通話を終了したことを検出し、
上記受信音声転送手段は、上記通話検出手段が通話の終了を検出したときに、音声信号の上記音声出力装置への送信を停止し、
上記送信音声転送手段は、上記通話検出手段が通話の終了を検出したときに、音声信号の上記通話装置への送信を停止することを特徴とする請求項１に記載の情報処理装置。
【請求項３】
上記音声出力装置及び上記音声入力装置は、上記遠隔操作装置に備えられており、
上記受信音声転送手段は、上記遠隔操作装置を介して上記音声出力装置に音声信号を送信し、
上記送信音声転送手段は、上記音声入力装置が生成した音声信号を、上記遠隔操作装置を介して受信することを特徴とする請求項１または２に記載の情報処理装置。
【請求項４】
上記通話装置は、通話先と音声信号及び画像信号を送受信するテレビ電話機能を備え、
上記通話検出手段は、自装置が上記通話装置制御モードとなっている状態において、上記通話装置がテレビ電話による通信を開始したことを検出し、
上記通話検出手段が、テレビ電話による通信の開始を検出した後、上記通話装置から送信される、該通話装置が通話先から受信した画像信号を受信して自装置の備える表示装置に表示する画像出力制御手段と、
上記通話検出手段が、テレビ電話による通信の開始を検出した後、画像を撮影して画像信号を生成する撮像装置に撮影を開始させるとともに、該撮像装置から受信した画像信号を、上記通話先に送信する画像信号として、上記通話装置に送信する画像入力制御手段とを備えていることを特徴とする請求項１から３の何れか１項に記載の情報処理装置。
【請求項５】
自装置の操作部に対する入力操作に従って処理を行う通常動作モードと、自装置と通信接続された情報処理装置の制御に従って処理を行う被制御モードとを有する通話装置であって、
上記情報処理装置は、該情報処理装置または該情報処理装置を操作する遠隔操作装置が備える音声出力装置に音声信号を送信して音声出力させる機能と、該情報処理装置または上記遠隔操作装置が備える音声入力装置が、該音声入力装置に入力された音声に応じて生成した音声信号を受信する機能とを有するものであり、
自装置が上記被制御モードとなっている状態において、自装置が通話を開始したときに、通話を開始したことを示す通話開始通知を、上記情報処理装置に送信する通話開始通知手段と、
上記通話開始通知手段が上記情報処理装置に上記通話開始通知を送信した後、通話先から受信した音声信号を、上記情報処理装置に送信する通話装置側受信音声転送手段と、
上記通話開始通知手段が上記情報処理装置に上記通話開始通知を送信した後、上記情報処理装置から受信した音声信号を、上記通話先に送信する通話装置側送信音声転送手段とを備えていることを特徴とする通話装置。
【請求項６】
請求項１から４の何れか１項に記載の情報処理装置と、請求項５に記載の通話装置とを含むことを特徴とする音声通話システム。
【請求項７】
遠隔操作装置から受信した制御信号に従って処理を行う通常動作モードと、遠隔操作装置から受信した制御信号に基づき、該制御信号に予め対応付けられた、通話装置の動作を制御するための通話装置制御信号を生成して該通話装置に送信する通話装置制御モードとを有する情報処理装置の制御方法であって、
上記情報処理装置が上記通話装置制御モードとなっている状態において、上記通話装置が通話を開始したことを検出する通話検出ステップと、
上記通話検出ステップで通話の開始を検出した後、上記通話装置が通話先から受信した音声信号を該通話装置から受信して、上記情報処理装置または上記遠隔操作装置が備える、音声を出力する音声出力装置に送信する受信音声転送ステップと、
上記通話検出ステップで通話の開始を検出した後、上記情報処理装置または上記遠隔操作装置が備える、入力された音声に応じた音声信号を生成する音声入力装置から受信した音声信号を、上記通話先に送信する音声信号として、上記通話装置に送信する送信音声転送ステップとを含むことを特徴とする情報処理装置の制御方法。
【請求項８】
自装置の操作部に対する入力操作に従って処理を行う通常動作モードと、自装置と通信接続された情報処理装置の制御に従って処理を行う被制御モードとを有する通話装置の制御方法であって、
上記情報処理装置は、該情報処理装置または該情報処理装置を操作する遠隔操作装置が備える音声出力装置に音声信号を送信して音声出力させる機能と、該情報処理装置または上記遠隔操作装置が備える音声入力装置が、該音声入力装置に入力された音声に応じて生成した音声信号を受信する機能とを有するものであり、
上記通話装置が上記被制御モードとなっている状態において、上記通話装置が通話を開始したときに、通話を開始したことを示す通話開始通知を、上記情報処理装置に送信する通話開始通知ステップと、
上記通話開始通知ステップで上記情報処理装置に上記通話開始通知を送信した後、通話先から受信した音声信号を、上記情報処理装置に送信する通話装置側受信音声転送ステップと、
上記通話開始通知ステップで上記情報処理装置に上記通話開始通知を送信した後、上記情報処理装置から受信した音声信号を、上記通話先に送信する通話装置側送信音声転送ステップとを含むことを特徴とする通話装置の制御方法。
【請求項９】
請求項１から４の何れか１項に記載の情報処理装置を動作させるための制御プログラムであって、コンピュータを上記各手段として機能させるための制御プログラム。
【請求項１０】
請求項５に記載の通話装置を動作させるための制御プログラムであって、コンピュータを上記各手段として機能させるための制御プログラム。
【請求項１１】
請求項９または１０に記載の制御プログラムを記録したコンピュータ読み取り可能な記録媒体。
【発明の詳細な説明】
【技術分野】
【０００１】
本発明は、通話を行う通話装置と通信して、該通話装置の動作を制御する情報処理装置等に関する。
【背景技術】
【０００２】
近年の通信技術、情報処理技術や電子デバイスの進歩に伴い、携帯電話機やＰＤＡ（Personal Digital Assistant）などの携帯端末は多様化している。特に携帯電話機において、通信キャリアにより提供されるサービスを利用することを前提とした一般的な携帯電話機だけではなく、電子メールやウェブサイトなど、ＰＣと同じサービスを利用可能なスマートフォンが開発されている。
【０００３】
携帯端末は、携帯することを前提としていることから、ユーザが持ち運ぶことが容易であることが望ましい。そのため、携帯端末のサイズを小型化することが求められ、携帯端末が出力する情報を表示するためのディスプレイや、端末操作や文字入力を行うためのキー等のサイズが制限される。この結果、携帯端末では、ＰＣやテレビ等の大きなディスプレイを持つ表示装置と比較すると、ディスプレイのサイズが小さくなる。
【０００４】
よって、携帯端末上で、情報を見易いサイズで表示をしようとすると一覧性を犠牲としなければならなり、一方、一覧性を確保するためには、表示する文字や画像のサイズを小さくしなければならない。このように、携帯端末に表示される情報は、ＰＣやテレビ等の表示装置に表示する場合と比べて、ユーザにとって見難いという問題がある。
【０００５】
この問題を解決する技術として、携帯端末を大きなディスプレイを持つ表示装置に接続し、携帯端末の出力画像を表示装置に送信し、表示装置に携帯端末の出力画像を表示させる技術がすでに開発されている。例えば、特許文献１には、外部ディスプレイ装置と接続ユニットを介して接続する携帯情報通信装置であって、外部ディスプレイ装置から外部ディスプレイ装置の画面解像度に関する情報を受信し、受信した情報に基づいて、外部ディスプレイ装置に出力する画像を作成し、作成した画像を外部ディスプレイに出力する携帯情報通信装置が記載されている。
【０００６】
しかしながら、上述のような従来技術は、リモートコントローラ等の表示装置を操作するための操作機器によって、表示装置に表示されている携帯端末の出力画像を編集または変更したり、表示装置に表示されている携帯端末の出力画像が示す情報に対して応答したりすることができないという問題がある。
【０００７】
具体的には、携帯端末の出力画像を表示装置に表示している場合であっても、表示装置に表示されている携帯端末の出力画像を編集または変更したり、表示装置に表示されている携帯端末の出力画像が示す情報に対して応答したりするためには、ユーザは、携帯端末を操作しなければならない。すなわち、表示装置に表示されている画像のうち、携帯端末の出力画像以外の画像に対しては、表示装置を操作するための操作機器によって応答し、表示装置に表示されている画像のうち、携帯端末の出力画像に対しては、携帯端末を操作することによって応答しなければならない。
【０００８】
そのため、ユーザは、表示装置に表示されている画像に対して、表示装置を操作するための操作機器および携帯端末の操作部の２つの操作手段を操作しなければならず、ユーザにとって操作が非常に煩雑である。
【先行技術文献】
【特許文献】
【０００９】
【特許文献１】特許第３８７２５０２号公報（登録日：２００６年１０月２７日）
【発明の概要】
【発明が解決しようとする課題】
【００１０】
このような問題点を解決する方法としては、例えば携帯端末の動作制御が可能なように表示装置を構成することが考えられる。より具体的には、表示装置に対して行われた入力操作と、携帯端末の入力操作とを対応付けておき、表示装置が入力操作を検出したときに、その入力操作に対応する、携帯端末の入力操作が行われたことを示す制御信号を、その携帯端末に送信することが考えられる。
【００１１】
このような方法によれば、表示装置を操作するための操作機器を操作することによって、携帯端末を動作させることができて便利である。
【００１２】
また、このような方法によれば、携帯端末が通話機能を有している場合、携帯端末に着信があったときに、表示装置を操作するための操作機器を操作して、電話を受けることができるように構成することもできる。
【００１３】
しかしながら、携帯端末で通話を行う場合には、ユーザは携帯端末を手に取る必要があるため、表示装置を操作するための操作機器を操作して電話を受けた後、この操作機器を携帯端末に持ち替えるという手間が生じる。
【００１４】
すなわち、操作機器を操作して携帯端末の操作を行うことを可能にするのみでは、通話時には依然として携帯端末を手に取らなければならず、ユーザに煩雑な動作を強いることになるという問題がある。
【００１５】
本発明は、上記の問題点に鑑みてなされたものであり、その目的は、自装置を介して携帯端末等の通話装置の操作を行うことができるとともに、通話装置を手に取ることなく、その通話装置を介した通話を可能にする情報処理装置等を提供することにある。
【課題を解決するための手段】
【００１６】
本発明の情報処理装置は、上記課題を解決するために、遠隔操作装置から受信した制御信号に従って処理を行う通常動作モードと、遠隔操作装置から受信した制御信号に基づき、該制御信号に予め対応付けられた、通話装置の動作を制御するための通話装置制御信号を生成して該通話装置に送信する通話装置制御モードとを有する情報処理装置であって、自装置が上記通話装置制御モードとなっている状態において、上記通話装置が通話を開始したことを検出する通話検出手段と、上記通話検出手段が通話の開始を検出した後、上記通話装置が通話先から受信した音声信号を該通話装置から受信して、自装置または上記遠隔操作装置が備える、音声を出力する音声出力装置に送信する受信音声転送手段と、上記通話検出手段が通話の開始を検出した後、自装置または上記遠隔操作装置が備える、入力された音声に応じた音声信号を生成する音声入力装置から受信した音声信号を、上記通話先に送信する音声信号として、上記通話装置に送信する送信音声転送手段とを備えていることを特徴としている。
【００１７】
また、本発明の情報処理装置の制御方法は、上記課題を解決するために、遠隔操作装置から受信した制御信号に従って処理を行う通常動作モードと、遠隔操作装置から受信した制御信号に基づき、該制御信号に予め対応付けられた、通話装置の動作を制御するための通話装置制御信号を生成して該通話装置に送信する通話装置制御モードとを有する情報処理装置の制御方法であって、上記情報処理装置が上記通話装置制御モードとなっている状態において、上記通話装置が通話を開始したことを検出する通話検出ステップと、上記通話検出ステップで通話の開始を検出した後、上記通話装置が通話先から受信した音声信号を該通話装置から受信して、上記情報処理装置または上記遠隔操作装置が備える、音声を出力する音声出力装置に送信する受信音声転送ステップと、上記通話検出ステップで通話の開始を検出した後、上記情報処理装置または上記遠隔操作装置が備える、入力された音声に応じた音声信号を生成する音声入力装置から受信した音声信号を、上記通話先に送信する音声信号として、上記通話装置に送信する送信音声転送ステップとを含むことを特徴としている。
【００１８】
上記の構成によれば、情報処理装置が通話装置制御モードとなっている状態において、通話開始を検出した後、通話装置が通話先から受信した音声信号を受信して、音声出力装置に送信するとともに、音声入力装置から受信した音声信号を、通話先に送信する音声信号として通話装置に送信する。
【００１９】
つまり、上記の構成によれば、情報処理装置が通話装置制御モードとなっている状態において、通話装置が通話を開始したときには、情報処理装置または遠隔操作装置が備えている音声入力装置が生成した音声信号が通話装置を介して通話先に送信される。また、通話装置が通話先から受信した音声信号は、情報処理装置または遠隔操作装置が備えている音声出力装置に出力される。
【００２０】
すなわち、上記の構成によれば、遠隔操作装置を用いて通話装置を操作することのできる通話装置制御モードとなっている状態では、通話装置を用いた通話を、情報処理装置または遠隔操作装置が備えている音声出力装置および音声入力装置を用いて行うことができる。
【００２１】
これにより、ユーザは、遠隔操作装置を用いて通話装置を操作することのできる通話装置制御モードにおいて、遠隔操作装置を通話装置に持ち替えることなく、通話装置を介した通話をスムーズに行うことができる。
【００２２】
なお、上記音声入力装置および上記音声出力装置は、遠隔操作装置または情報処理装置に内蔵されていてもよいし、遠隔操作装置または情報処理装置に外付けされていてもよく、外付けの場合には取り外しが可能になっていてもよい。
【００２３】
また、情報処理装置と、音声入力装置および音声出力装置との間で行われる音声信号の送受信では、情報処理装置と、上記音声入力装置および上記音声出力装置とが直接に音声信号を送受信してもよいし、他の装置を介在させて音声信号を送受信してもよい。要は、情報処理装置が送信した音声信号が音声出力装置に到達し、音声入力装置が生成した音声信号が情報処理装置に到達するようになっていればよい。
【００２４】
また、上記通話検出手段は、上記通話装置が通話を終了したことを検出し、上記受信音声転送手段は、上記通話検出手段が通話の終了を検出したときに、音声信号の上記音声出力装置への送信を停止し、上記送信音声転送手段は、上記通話検出手段が通話の終了を検出したときに、音声信号の上記通話装置への送信を停止することが好ましい。
【００２５】
上記の構成によれば、通話装置が通話を終了したことを検出したときに、音声信号の音声出力装置への送信を停止するとともに、音声信号の通話装置への送信を停止するので、通話終了後に、無駄に音声信号の送信が行われることがなくなる。
【００２６】
また、上記音声出力装置及び上記音声入力装置は、上記遠隔操作装置に備えられており、上記受信音声転送手段は、上記遠隔操作装置を介して上記音声出力装置に音声信号を送信し、上記送信音声転送手段は、上記音声入力装置が生成した音声信号を、上記遠隔操作装置を介して受信することが好ましい。
【００２７】
上記の構成によれば、情報処理装置から、遠隔操作装置を介して、該遠隔操作装置が備える音声出力装置に音声信号が送信され、遠隔操作装置が備える音声入力装置が生成した音声信号を、情報処理装置が遠隔操作装置を介して受信する。
【００２８】
すなわち、上記の構成によれば、遠隔操作装置が備える音声入力装置と音声出力装置とを用いて、通話装置を介した通話を行うことができる。これにより、ユーザは、遠隔操作装置を用いて通話装置を操作し、通話装置への電話の着信を受けた後、遠隔操作装置を通話装置に持ち替えることなく、スムーズに通話を行うこともできる。
【００２９】
また、上記通話装置は、通話先と音声信号及び画像信号を送受信するテレビ電話機能を備え、上記通話検出手段は、自装置が上記通話装置制御モードとなっている状態において、上記通話装置がテレビ電話による通信を開始したことを検出し、上記通話検出手段が、テレビ電話による通信の開始を検出した後、上記通話装置から送信される、該通話装置が通話先から受信した画像信号を受信して自装置の備える表示装置に表示する画像出力制御手段と、上記通話検出手段が、テレビ電話による通信の開始を検出した後、画像を撮影して画像信号を生成する撮像装置に撮影を開始させるとともに、該撮像装置から受信した画像信号を、上記通話先に送信する画像信号として、上記通話装置に送信する画像入力制御手段とを備えていることが好ましい。
【００３０】
上記の構成によれば、情報処理装置が通話装置制御モードとなっている状態において、テレビ電話による通信の開始を検出した後、通話装置が通話先から受信した画像信号を受信して、表示装置に表示するとともに、撮像装置に撮像を開始させ、この撮像装置から受信した画像信号を、通話先に送信する画像信号として通話装置に送信する。
【００３１】
つまり、上記の構成によれば、情報処理装置が通話装置制御モードとなっている状態において、通話装置がテレビ電話による通信を開始したときには、情報処理装置の制御で動作する撮像装置が生成した画像信号が通話装置を介して通話先に送信される。また、通話装置が通話先から受信した画像信号は、情報処理装置が備えている表示装置に表示される。
【００３２】
したがって、ユーザは、遠隔操作装置を用いて通話装置を操作することのできる通話装置制御モードにおいて、情報処理装置の制御で動作する撮像装置に画像を撮影させるとともに、通話先から受信した画像信号に基づく画像を情報処理装置の表示装置に表示させて、通話装置を介したテレビ電話による通話を、遠隔操作装置を通話装置に持ち替えることなく、スムーズに行うことができる。
【００３３】
なお、上記撮像装置および上記表示装置は、情報処理装置に組み込まれていてもよいし、情報処理装置に外付けされていてもよく、外付けの場合には取り外しが可能になっていてもよい。
【００３４】
また、情報処理装置と、表示装置および撮像装置との間で行われる画像信号の送受信では、情報処理装置と、表示装置および撮像装置とが直接に画像信号を送受信してもよいし、他の装置を介在させて画像信号を送受信してもよい。要は、情報処理装置が送信した画像信号が表示装置に到達し、撮像装置が生成した画像信号が情報処理装置に到達するようになっていればよい。
【００３５】
また、本発明の通話装置は、上記課題を解決するために、自装置の操作部に対する入力操作に従って処理を行う通常動作モードと、情報処理装置から受信した通話装置制御信号に従って処理を行う被制御モードとを有する通話装置であって、上記情報処理装置は、該情報処理装置または該情報処理装置を操作する遠隔操作装置が備える音声出力装置に音声信号を送信して音声出力させる機能と、該情報処理装置または上記遠隔操作装置が備える音声入力装置が、該音声入力装置に入力された音声に応じて生成した音声信号を受信する機能とを有するものであり、自装置が上記被制御モードとなっている状態において、自装置が通話を開始したときに、通話を開始したことを示す通話開始通知を、上記情報処理装置に送信する通話開始通知手段と、上記通話開始通知手段が上記情報処理装置に上記通話開始通知を送信した後、通話先から受信した音声信号を、上記情報処理装置に送信する通話装置側受信音声転送手段と、上記通話開始通知手段が上記情報処理装置に上記通話開始通知を送信した後、上記情報処理装置から受信した音声信号を、上記通話先に送信する通話装置側送信音声転送手段とを備えていることを特徴としている。
【００３６】
また、本発明の通話装置の制御方法は、上記課題を解決するために、自装置の操作部に対する入力操作に従って処理を行う通常動作モードと、自装置と通信接続された情報処理装置の制御に従って処理を行う被制御モードとを有する通話装置の制御方法であって、上記情報処理装置は、該情報処理装置または該情報処理装置を操作する遠隔操作装置が備える音声出力装置に音声信号を送信して音声出力させる機能と、該情報処理装置または上記遠隔操作装置が備える音声入力装置が、該音声入力装置に入力された音声に応じて生成した音声信号を受信する機能とを有するものであり、上記通話装置が上記被制御モードとなっている状態において、上記通話装置が通話を開始したときに、通話を開始したことを示す通話開始通知を、上記情報処理装置に送信する通話開始通知ステップと、上記通話開始通知ステップで上記情報処理装置に上記通話開始通知を送信した後、通話先から受信した音声信号を、上記情報処理装置に送信する通話装置側受信音声転送ステップと、上記通話開始通知ステップで上記情報処理装置に上記通話開始通知を送信した後、上記情報処理装置から受信した音声信号を、上記通話先に送信する通話装置側送信音声転送ステップとを含むことを特徴としている。
【００３７】
上記の構成によれば、通話装置は、被制御モードとなっている状態において、通話開始通知を送信した後、通話先から受信した音声信号を情報処理装置に送信するとともに、情報処理装置から受信した音声信号を通話先に送信する。
【００３８】
また、上記情報処理装置は、該情報処理装置または該情報処理装置を操作する遠隔操作装置が備える音声出力装置に音声信号を送信して音声出力させる機能と、該情報処理装置または上記遠隔操作装置が備える音声入力装置が、該音声入力装置に入力された音声に応じて生成した音声信号を受信する機能とを有している。
【００３９】
このため、情報処理装置は、通話開始通知の受信をトリガとして、音声入力装置が生成した音声信号を通話装置に送信することができる。また、通話装置から音声信号を受信したときには、その音声信号を音声出力装置に送信して音声出力させることができる。
【００４０】
つまり、上記の構成によれば、通話装置は、被制御モードで通話を開始したときには、情報処理装置に送信することによって、その音声信号に基づく音声を、情報処理装置または遠隔操作装置が備えている音声出力装置から出力させることができるとともに、音声入力装置が生成した音声信号を、情報処理装置を介して受信し、これを通話先に送信することができる。
【００４１】
すなわち、上記の構成によれば、情報処理装置の制御に従って処理を行う被制御モードでは、通話装置を用いた通話を、情報処理装置または遠隔操作装置が備えている音声出力装置および音声入力装置を用いて行うことができる。これにより、ユーザは、通話装置を手に取ることなく、通話装置を介した通話をスムーズに行うことができる。
【００４２】
なお、上記被制御モードでは、通常モードと同様に、自装置の操作部に対する入力操作も受け付けるようになっていてもよいし、操作部に対する入力操作は受け付けず、情報処理装置の制御のみに従って動作するようになっていてもよい。
【００４３】
また、上記情報処理装置と、上記通話装置とを含む音声通話システムであれば、上記情報処理装置および上記通話装置と同様の効果を奏する。
【００４４】
なお、上記情報処理装置および上記通話装置は、コンピュータによって実現してもよく、この場合には、コンピュータを上記情報処理装置または上記通話装置の各手段として動作させることにより、上記情報処理装置または上記通話装置をコンピュータにて実現させる制御プログラム、およびそれを記録したコンピュータ読み取り可能な記録媒体も本発明の範疇に入る。
【発明の効果】
【００４５】
以上のように、本発明に係る情報処理装置は、自装置が通話装置制御モードとなっている状態において、通話装置が通話を開始したことを検出する通話検出手段と、上記通話検出手段が通話の開始を検出した後、上記通話装置が通話先から受信した音声信号を該通話装置から受信して、自装置または上記遠隔操作装置が備える、音声を出力する音声出力装置に送信する受信音声転送手段と、上記通話検出手段が通話の開始を検出した後、自装置または上記遠隔操作装置が備える、入力された音声に応じた音声信号を生成する音声入力装置から受信した音声信号を、上記通話先に送信する音声信号として、上記通話装置に送信する送信音声転送手段とを備えている構成である。
【００４６】
また、本発明に係る情報処理装置の制御方法は、情報処理装置が通話装置制御モードとなっている状態において、通話装置が通話を開始したことを検出する通話検出ステップと、上記通話検出ステップで通話の開始を検出した後、上記通話装置が通話先から受信した音声信号を該通話装置から受信して、上記情報処理装置または上記遠隔操作装置が備える、音声を出力する音声出力装置に送信する受信音声転送ステップと、上記通話検出ステップで通話の開始を検出した後、上記情報処理装置または上記遠隔操作装置が備える、入力された音声に応じた音声信号を生成する音声入力装置から受信した音声信号を、上記通話先に送信する音声信号として、上記通話装置に送信する送信音声転送ステップとを含む構成である。
【００４７】
そして、以上のように、本発明に係る通話装置は、自装置が被制御モードとなっている状態において、自装置が通話を開始したときに、通話を開始したことを示す通話開始通知を、情報処理装置に送信する通話開始通知手段と、上記通話開始通知手段が上記情報処理装置に上記通話開始通知を送信した後、通話先から受信した音声信号を、上記情報処理装置に送信する通話装置側受信音声転送手段と、上記通話開始通知手段が上記情報処理装置に上記通話開始通知を送信した後、上記情報処理装置から受信した音声信号を、上記通話先に送信する通話装置側送信音声転送手段とを備えている構成である。
【００４８】
また、本発明に係る通話装置の制御方法は、通話装置が被制御モードとなっている状態において、通話装置が通話を開始したときに、通話を開始したことを示す通話開始通知を、情報処理装置に送信する通話開始通知ステップと、上記通話開始通知ステップで上記情報処理装置に上記通話開始通知を送信した後、通話先から受信した音声信号を、上記情報処理装置に送信する通話装置側受信音声転送ステップと、上記通話開始通知ステップで上記情報処理装置に上記通話開始通知を送信した後、上記情報処理装置から受信した音声信号を、上記通話先に送信する通話装置側送信音声転送ステップとを含む構成である。
【００４９】
したがって、情報処理装置を介して通話装置の動作を制御可能な状態（通話装置制御モード、被制御モード）において、通話装置を用いた通話を、情報処理装置または遠隔操作装置が備えている音声出力装置および音声入力装置を用いて行うことができる。これにより、ユーザは、通話装置を手に取ることなく、通話装置を介した通話をスムーズに行うことができるという効果を奏する。
【図面の簡単な説明】
【００５０】
【図１】本発明の実施形態を示すものであり、表示システムに含まれるテレビおよび携帯電話機の要部構成を示すブロック図である。
【図２】本実施形態に係る表示システムの概要を示す図である。
【図３】リモートコントローラのキー配置の一例を示す図である。
【図４】本実施形態における、テレビが表示する外部入力表示画像の一例を示す図である。
【図５】キーガイダンスの表示例を示す図である。
【図６】テレビの機種情報の一例を示す図である。
【図７】キー変換情報の一例を示す図である。
【図８】携帯電話機の操作部のキー配置の一例を示す図である。
【図９】キー変換情報特定テーブルの一例を示す図である。
【図１０】表示システムに含まれるテレビ及び携帯電話機の処理の流れの一例を示すフローチャートである。
【図１１】テレビキー情報解析処理、および、携帯電話機キー情報解析処理の流れの一例を示すフローチャートである。
【図１２】携帯電話機の機種情報の一例を示す図である。
【図１３】キー変換情報特定テーブルの一例を示す図である。
【図１４】本発明の他の実施形態に係る表示システムの概要を示す図である。
【図１５】上記実施形態に係る表示システムに含まれるテレビ、携帯電話機、およびリモートコントローラの要部構成を示すブロック図である。
【図１６】上記実施形態に係る表示システムに含まれるテレビ及び携帯電話機が実行する処理の一例を示すフローチャートである。
【図１７】テレビ側音声制御変更処理及び携帯側音声制御変更処理の一例を示すフローチャートである。
【図１８】テレビ電話が可能な表示システムに含まれる、テレビ、携帯電話機、およびリモートコントローラの要部構成を示すブロック図である。
【図１９】テレビ電話時にテレビが実行するテレビ側テレビ電話処理、およびテレビ電話時に携帯電話機が実行する携帯側テレビ電話処理の一例を示すフローチャートである。
【発明を実施するための形態】
【００５１】
〔前提となる第１の実施形態〕
以下、本発明の前提となる第１の実施形態について、図１から図１１に基づいて詳細に説明する。
【００５２】
〔システムの概要〕
本実施形態の表示システム３の概要について、図２に基づいて説明する。図２は、本実施形態に係る表示システム３の概要を示す図である。図示のように、表示システム３は、テレビ（表示装置）１と携帯電話機（端末装置）２とを通信接続してなるシステムである。
【００５３】
テレビ１は、テレビジョン放送の電波を受信して選局し、映像および音声を出力（表示）するものである。本実施形態では、表示システムを構成する表示装置として、テレビ１を適用しているが、これに限るものではない。例えば、表示システムを構成する表示装置として、画像を表示する機能を備える表示装置であればよく、ＰＣ等を適用することができる。また、テレビ１は、図２に示すリモートコントローラ１５からの信号によって、信号に応じた種々の処理を行う。具体的には、テレビ１は、リモートコントローラ１５から送信された信号を受信して、チャンネルを切り替える処理を行ったり、番組表やメニュー画面を表示する処理を行ったりする。
【００５４】
リモートコントローラ１５は、テレビ１に付属されている操作機器であって、ユーザがテレビ１を遠隔操作するために用いられるものである。ユーザがリモートコントローラ１５に備えられたキー（ボタン）を押すことによって、リモートコントローラ１５は、ユーザに押されたキーに対応する信号を送信するものである。
【００５５】
本実施形態では、リモートコントローラ１５は、一般的な赤外線通信を利用してテレビ１に信号を送信する。なお、リモートコントローラ１５とテレビ１との通信方式は、赤外線通信に限るものではなく、赤外線以外の電波による通信など、あらゆる無線通信方式、有線通信方式を適用することができる。
【００５６】
また、本実施形態のリモートコントローラ１５は、図３に示すように、電源キー、操作切替キー、数字キー（１〜１２）、番組表キー、および、メニューキーを備える。電源キーは、テレビ１の電源をオンまたはオフするためのキーである。操作切替キーは、テレビ１の操作モードを切り替えるためのキーである。操作モードについては、詳細は後述する。数字キーは、テレビ１のチャンネルの切り替えや、テレビ１への数字の入力等に使用するためのキーである。番組表キー、メニューキーは、それぞれ、テレビ１に番組表、メニュー画面を表示させるためのキーである。
【００５７】
図３は、リモートコントローラ１５のキー配置の一例を示す図である。なお、リモートコントローラ１５が、上述のキー以外に、例えば、十字キーや決定キー等を備えていてもよい。また、図３に示すリモートコントローラ１５のキー配置はあくまで一例であって、図３に示すキー配置に限るものではなく、キー配置を任意に設計してもよい。
【００５８】
携帯電話機２は、携帯可能な電話機であって、無線通信を利用して、他の携帯電話機や固定電話機と音声通信を行うものである。携帯電話機２は、電話の機能だけではなく、インターネットおよびメール等の機能を備えていてもよい。携帯電話機２は、各機能の処理を実行する際に、その処理の結果を、自装置の表示部に画像として表示するものである。具体的には、ユーザが携帯電話機２を操作して、電話番号を入力すると、携帯電話機２は、表示部に入力された番号を表示する。また、ユーザが音声通話開始キーを押すと、携帯電話機２は、通信先の携帯電話機と接続を開始する旨を表示部に表示する。このように、携帯電話機２は、自身が処理している内容（処理した結果）をユーザに通知するために、自身が処理している内容（処理した結果）を示す画像を生成し、生成した画像を表示部に出力するものである。
【００５９】
なお、本実施形態では、表示システムを構成する端末装置として、携帯電話機２を適用しているが、これに限るものではない。例えば、表示システムを構成する端末装置として、ＰＤＡ、デジタルカメラ、デジタルビデオカメラ、携帯ゲーム機等であってもよい。
【００６０】
本実施形態では、テレビ１と携帯電話機２とは、ＨＤＭＩ（High-Definition Multimedia Interface）ケーブルで接続されているものとする。ただし、テレビ１と携帯電話機２との接続方式は、これに限るものではなく、例えば、ＵＳＢケーブル等の有線接続方式であってもよいし、無線ＬＡＮ等の無線接続方式であってもよい。
【００６１】
さらに、携帯電話機２は、自装置の表示部に出力する画像である出力画像をテレビ１に送信するものである。また、テレビ１は、携帯電話機２の出力画像を受信して、自装置の表示部に、受信した出力画像を含む画像を表示するものである。
【００６２】
本発明は、上述の表示システム３において、テレビ１が携帯電話機２の出力画像を含む画像を表示している際に、リモートコントローラ１５を操作することによって、携帯電話機２を制御するものである。つまり、テレビ１には、２つの表示モードが存在し、テレビ１が受信したテレビジョン放送の電波に基づく画像（映像）を表示する通常表示モードと、携帯電話機２から受信した携帯電話機２の出力画像を含む画像を表示する外部入力表示モードとが存在する。さらに、テレビ１が外部入力表示モードの場合、２つの操作モードが存在し、ユーザがリモートコントローラ１５を操作することによって、テレビ１を操作できる状態であるテレビ操作モードと、ユーザがリモートコントローラ１５を操作することによって、携帯電話機２を操作できる状態である携帯電話機操作モード（端末制御モード）とが存在する。
【００６３】
上述の、テレビ１が外部入力表示モードの場合に、テレビ１に表示される画像を外部入力表示画像と称する。ここで、テレビ１が表示する外部入力表示画像の一例を図４に基づいて説明する。図４は、本実施形態における、テレビ１が表示する外部入力表示画像の一例を示す図である。
【００６４】
図４に示すように、テレビ１の画面に外部入力表示画像７１が表示されており、外部入力表示画像７１には、テレビ映像表示領域７２、携帯電話機出力画像表示領域７３、キーガイダンス表示領域７４および操作マーク７５が含まれる。なお、外部入力表示画像７１には、少なくとも携帯電話機出力画像表示領域７３が含まれていればよい。換言すると、テレビ１が携帯電話機２から携帯電話機２の出力画像を受信している場合、テレビ１は、携帯電話機２の出力画像を全画面に表示してもよい。
【００６５】
テレビ映像表示領域７２は、テレビ１が受信したテレビジョン放送の電波に基づく画像（映像）を表示する領域である。つまり、テレビ１が通常表示モード時に表示する画像を表示する領域である。
【００６６】
携帯電話機出力画像表示領域７３は、テレビ１が受信した携帯電話機２の出力画像を表示する領域である。
【００６７】
キーガイダンス表示領域７４は、キーガイダンスを表示する領域である。キーガイダンスとは、テレビ１が携帯電話機操作モード時に、リモートコントローラ１５のキーと、携帯電話機２のキーとの対応関係をユーザに通知するものである。キーガイダンスの表示例を図５に示す。
【００６８】
図５に示すように、図３に示すリモートコントローラ１５と同じ位置にキー（ボタン）が配置されている。ただし、図３に示すリモートコントローラ１５と異なり、各キーのラベルには、対応する携帯電話機２のキーのラベルが表示されている。図示の例では、リモートコントローラ１５の「１」キーは、携帯電話機２の「１／あ」キーに対応することが示されている。これによって、ユーザは、リモートコントローラ１５のキーが、携帯電話機２のキーのどれにあたるかを直感的に判別し、リモートコントローラ１５により携帯電話機２を操作することが可能となる。
【００６９】
なお、図５に示す例では、「電源」キーおよび「操作切替」キーが破線で表示されている。これは、「電源」キーおよび「操作切替」キーがテレビ１の操作モードに依存しないキーであることを示す。つまり、「電源」キーは、テレビ１の操作モードがテレビ操作モード、携帯電話機操作モードに関わらず、テレビ１の電源をオンまたはオフするためのキーである。また、「操作切替」キーは、テレビ１の操作モードがテレビ操作モードの場合、テレビ１の操作モードを携帯電話機操作モードに切り替えるためのキーであり、テレビ１の操作モードが携帯電話機操作モードの場合、テレビ１の操作モードをテレビ操作モードに切り替えるためのキーである。
【００７０】
操作マーク７５は、テレビ１の操作モードがテレビ操作モードであるか、携帯電話機操作モードであるかをユーザに通知するものである。なお、ユーザに操作モードを通知する方法はこれに限らず、例えば、テレビ操作モード時にキーガイダンスを透明または半透明で表示し、携帯電話機操作モード時に通常に表示して、テレビ１の操作モードを通知してもよい。
【００７１】
以下に、本実施形態に係るテレビ１および携帯電話機２の構成、および、その処理について説明する。
【００７２】
〔テレビ１及び携帯電話機２の要部構成〕
本実施形態に係るテレビ１および携帯電話機２の構成について、図１に基づいて説明する。図１は、表示システム３に含まれるテレビ１および携帯電話機２の要部構成を示すブロック図である。
【００７３】
＜テレビ１の構成＞
まず、テレビ１の構成について説明する。図示のように、テレビ１は、制御部１０、記憶部１１、表示部１２、通信部１３、および、キー情報受信部（操作情報取得手段）１４を備えている。また、テレビ１には、テレビ１を遠隔操作可能な操作機器であるリモートコントローラ１５が付属されている。テレビ１は、これらの部材以外にも、アンテナ、チューナ、スピーカ、マイク、バッテリー等の部材を備えていてもよいが、発明の特徴点とは関係がないため当該部材を図示していない。
【００７４】
表示部１２は、制御部１０の指示に従って画像を表示するものである。表示部１２は、制御部１０の指示に従って画像を表示するものであればよく、例えば、ＬＣＤ（液晶ディスプレイ）、有機ＥＬディスプレイ、プラズマディスプレイなどを適用することが可能である。
【００７５】
通信部１３は、無線通信手段または有線通信手段によって、携帯電話機２などの他の装置と通信を行い、データのやりとりを行うものである。本実施形態では、通信部１３が外部インターフェースとして機能し、携帯電話機２とＨＤＭＩケーブルで接続されているものとする。
【００７６】
キー情報受信部１４は、リモートコントローラ１５から送信された信号を受信するものである。本実施形態では、リモートコントローラ１５が、赤外線通信を利用してテレビ１に信号を送信するため、キー情報受信部１４が赤外線受光部として機能する。
【００７７】
なお、テレビ１が操作部（不図示）を備えていてもよい。この場合、リモートコントローラ１５を操作してテレビ１を制御するのと同様に、操作部を操作してテレビ１を制御してもよい。この場合、キー情報受信部１４は、操作部から操作情報を取得する操作情報取得手段として機能する。
【００７８】
制御部１０は、記憶部１１から一時記憶部（不図示）に読み出されたプログラムを実行することにより、各種の演算を行うと共に、テレビ１が備える各部を統括的に制御するものである。
【００７９】
本実施形態では、制御部１０は、機能ブロックとして、表示制御部（表示制御手段）２１、テレビ制御部２２、モード切替部２３、外部入力制御部２６、キー情報変換部（操作情報変換手段、操作情報送信手段）２７、および、機種情報管理部２８を備える構成である。これらの制御部１０の各機能ブロック（２１〜２３、２６〜２８）は、ＣＰＵ（central processing unit）が、ＲＯＭ（read only memory）等で実現された記憶装置に記憶されているプログラムをＲＡＭ（random access memory）等で実現された一時記憶部に読み出して実行することで実現できる。
【００８０】
表示制御部２１は、テレビ制御部２２、外部入力制御部２６の指示に従って、画像を生成し、生成した画像を表示部１２に出力するものである。具体的には、表示制御部２１は、通常表示モード時では、テレビ制御部２２の指示に従って、テレビ１が受信したテレビジョン放送の電波から画像（映像）を生成し、生成した画像を表示部１２に表示させるものである。また、表示制御部２１は、外部入力表示モード時には、外部入力制御部２６の指示に従って、外部入力表示画像を生成し、生成した外部入力表示画像を表示部１２に表示させるものである。
【００８１】
テレビ制御部２２は、キー情報受信部１４から送信されたテレビ１を動作させるためのキー情報（テレビキー情報：第１の操作情報）に基づいて、テレビ１を制御するものである。例えば、テレビ制御部２２は、受信したテレビキー情報が電源のオン／オフを示すものであれば、テレビ１の電源をオンまたはオフするように制御する。また、テレビ制御部２２は、テレビ１が通常表示モード時には、受信したテレビキー情報が所定のチャンネルを指定するものであれば、チューナ（不図示）に対して、アンテナ（不図示）で受信したテレビジョン放送の電波から、指定のチャンネルを選局するように指示し、チューナが電波から変換した映像信号を表示部１２に表示するように表示制御部２１に指示する。また、テレビ制御部２２は、テレビ１が外部入力表示モード時には、受信したテレビキー情報が所定のチャンネルを指定するものであれば、チューナ（不図示）に対して、アンテナ（不図示）で受信したテレビジョン放送の電波から、指定のチャンネルを選局するように指示し、チューナが電波から変換した映像信号をテレビ映像表示領域７２に組み込むように表示制御部２１に指示する。
【００８２】
テレビ制御部２２は、テレビ１が通常表示モードの場合、テレビキー情報に基づいて、テレビ１を制御する。また、テレビ制御部２２は、テレビ１が外部入力表示モードであって、テレビ操作モードの場合、テレビキー情報に基づいて、テレビ１を制御する。さらに、テレビ制御部２２は、テレビ１が外部入力表示モードであって、携帯電話機操作モードの場合に、キー情報受信部１４が操作モードに依存しないテレビキー情報（「電源」キー、「操作切替」キー等）を受信した場合、テレビキー情報に基づいて、テレビ１を制御する。
【００８３】
モード切替部２３は、テレビ１のモードを切り替えるものであり、表示モード切替部２４および操作モード切替部２５を備える。
【００８４】
表示モード切替部２４は、テレビ１の表示モードを切り替えるものである。例えば、表示モード切替部２４は、キー情報受信部１４を介して、リモートコントローラ１５から表示モードの切替指示を受信して、テレビ１の表示モードを切り替えてもよい。また、表示モード切替部２４は、テレビ１が携帯電話機２と通信接続されたことを示す情報を通信部１３から受信して、テレビ１の表示モードを通常表示モードから外部入力表示モードに切り替えてもよい。また、表示モード切替部２４は、テレビ１が携帯電話機２との通信接続を終了したことを示す情報を通信部１３から受信して、テレビ１の表示モードを外部入力表示モードから通常表示モードに切り替えてもよい。
【００８５】
操作モード切替部２５は、テレビ１の操作モードを切り替えるものである。例えば、操作モード切替部２５は、キー情報受信部１４を介して、リモートコントローラ１５から表示モードの切替指示（「操作切替」キー）を受信して、テレビ１の操作モードを切り替えてもよい。
【００８６】
外部入力制御部２６は、外部入力表示モード時に、表示制御部２１に対して、外部入力表示画像７１を生成して、表示部１２に表示するように指示するものである。また、外部入力制御部２６は、外部入力表示画像７１における携帯電話機出力画像表示領域７３に、携帯電話機２から受信した携帯電話機２の出力画像を組み込むように、表示制御部２１に指示する。
【００８７】
また、外部入力制御部２６は、外部入力表示画像７１におけるキーガイダンス表示領域７４に表示させる画像を生成するものである。外部入力制御部２６は、キー変換情報記憶部３２に格納されているキー変換情報（操作情報変換テーブル）を参照して、リモートコントローラ１５のキーが携帯電話機２のどのキーに対応するかを特定し、記憶部１１に格納されているリモートコントローラ１５のキー配置情報に基づいて、キーガイダンス画像を生成する。外部入力制御部２６は、生成したキーガイダンス画像を外部入力表示画像７１におけるキーガイダンス表示領域７４に組み込むように、表示制御部２１に指示する。なお、リモートコントローラ１５のキー配置情報とは、リモートコントローラ１５の各キーのリモートコントローラ１５における位置を示す情報である。
【００８８】
キー情報変換部２７は、テレビ１の操作モードが携帯電話機操作モードである場合、記憶部１１のキー変換情報記憶部３２に格納されているキー変換情報を参照して、キー情報受信部１４が受信したテレビキー情報を、対応する携帯電話機キー情報に変換するものである。そして、キー情報変換部２７は、変換後の携帯電話機キー情報を通信部１３を介して携帯電話機２に送信する。ここで、携帯電話機キー情報（第２の操作情報）とは、携帯電話機２を動作させるためのキー情報である。
【００８９】
なお、本実施形態では、テレビ１と携帯電話機２とがＨＤＭＩケーブルで接続されているため、キー情報変換部２７は、ＨＤＭＩ  ＣＥＣコマンドを利用して、変換後の携帯電話機キー情報を送信する。また、キー情報変換部２７は、キー情報受信部１４が受信したテレビキー情報が、キー変換情報記憶部３２に格納されているキー変換情報に含まれていない場合、テレビ制御部２２に、キー情報受信部１４が受信したテレビキー情報に基づいて動作するように指示する。
【００９０】
機種情報管理部２８は、テレビ１が外部入力表示モードに移行すると、記憶部１１の機種情報記憶部３１に格納されているテレビ１の機種情報を読み出し、通信部１３を介して、読み出したテレビ１の機種情報を携帯電話機２に送信するものである。そして、機種情報管理部２８は、テレビ１の機種情報を携帯電話機２に送信した後、携帯電話機２からキー変換情報を受信すると、受信したキー変換情報を記憶部１１のキー変換情報記憶部３２に格納する。
【００９１】
記憶部１１は、制御部１０が実行する制御プログラムおよびＯＳプログラム、ならびに、制御部１０が、テレビ１が有する各種機能（例えば、後述の、初期設定処理、表示処理、テレビキー情報解析処理など）を実行するときに読み出す各種の固定データを記憶するものである。本実施形態では、記憶部１１には、例えば、機種情報記憶部３１、および、キー変換情報記憶部３２が含まれており、各種の固定データを記憶する。記憶部１１は、例えば、内容の書き換えが可能な不揮発性メモリである、ＥＰＲＯＭ（Erasable Programmable ROM）、ＥＥＰＲＯＭ（Electrically EPROM）、フラッシュメモリなどで実現される。なお、内容の書き換えが不要な情報を記憶する記憶部としては、上述したとおり、記憶部１１とは別の、図示しない、読出し専用の半導体メモリであるＲＯＭなどで実現されてもよい。
【００９２】
機種情報記憶部３１は、テレビ１の機種を特定するテレビ１の機種情報（第１の機種情報）を格納するものである。機種情報記憶部３１に格納されているテレビ１の機種情報として、例えば、図６に示すようなデータであればよい。図６は、テレビ１の機種情報の一例を示す図である。図６の例では、機種情報記憶部３１には、テレビ１の機種情報として、テレビ１の機種を識別する文字列「ＴＶ１２３４Ａ」が格納されている。
【００９３】
キー変換情報記憶部３２は、キー情報変換部２７が、テレビキー情報から対応する携帯電話機キー情報に変換する際に参照するキー変換情報を格納するものである。キー変換情報記憶部３２に格納されているキー変換情報として、例えば、図７に示すようなデータであってもよい。図７は、キー変換情報の一例を示す図である。図７に示す例では、キー変換情報記憶部３２には、キー変換情報ＩＤが「００１」のキー変換情報が格納されている。
【００９４】
＜携帯電話機２の構成＞
次に、携帯電話機２の構成について説明する。図示のように、携帯電話機２は、制御部４０、記憶部４１、表示部４２、通信部４３、および、操作部４４を備えている。携帯電話機２は、これらの部材以外にも、スピーカ、マイク、バッテリー等の部材を備えていてもよいが、発明の特徴点とは関係がないため当該部材を図示していない。
【００９５】
表示部４２は、制御部４０の指示に従って画像を表示するものである。表示部４２は、制御部４０の指示に従って画像を表示するものであればよく、例えば、ＬＣＤ（液晶ディスプレイ）、有機ＥＬディスプレイ、プラズマディスプレイなどを適用することが可能である。
【００９６】
通信部４３は、無線通信手段または有線通信手段によって、テレビ１などの他の装置と通信を行い、データのやりとりを行うものである。本実施形態では、通信部４３が外部インターフェースとして機能し、テレビ１とＨＤＭＩケーブルで接続されているものとする。
【００９７】
操作部４４は、ユーザが携帯電話機２に指示信号を入力し、操作するためのものである。本実施形態では、操作部４４は、図６に示すように、オンフックキー、オフフックキー、および、テンキーで構成されているものとする。オンフックキーは、携帯電話機２に音声通話機能を開始させるためのキーである。オフフックキーは、携帯電話機２に音声通話機能を終了させるためのキーである。テンキーは、数字、文字、記号等の入力などに使用するためのキーである。
【００９８】
図８は、携帯電話機２の操作部４４のキー配置の一例を示す図である。なお、操作部４４が、上述のキー以外に、例えば、十字キーやファンクションキー等を備えていてもよい。また、図８に示す操作部４４のキー配置はあくまで一例であって、図８に示すキー配置に限るものではなく、キー配置を任意に設計してもよい。
【００９９】
制御部４０は、記憶部４１から一時記憶部（不図示）に読み出されたプログラムを実行することにより、各種の演算を行うと共に、携帯電話機２が備える各部を統括的に制御するものである。
【０１００】
本実施形態では、制御部４０は、機能ブロックとして、表示制御部５１、出力モード切替部５２、携帯電話機制御部５３、および、キー変換情報特定部（機種情報取得手段、操作情報変換テーブル特定手段、変換テーブル送信手段）５４を備える構成である。これらの制御部４０の各機能ブロック（５１〜５４）は、ＣＰＵが、ＲＯＭ等で実現された記憶装置に記憶されているプログラムをＲＡＭ等で実現された一時記憶部に読み出して実行することで実現できる。
【０１０１】
表示制御部５１は、携帯電話機制御部５３の指示に従って、画像を生成し、生成した画像を出力するものである。表示制御部５１は、通常出力モード時には、生成した画像を表示部４２に出力し、外部出力モード時には、生成した画像を通信部４３を介してテレビ１に送信する。なお、表示制御部５１は、外部出力モード時にも、画像をテレビ１に送信すると共に、表示部４２に出力してもよい。
【０１０２】
出力モード切替部５２は、携帯電話機２の出力モードを切り替えるものである。例えば、出力モード切替部５２は、操作部４４から出力モードの切替指示を受信して、携帯電話機２の出力モードを切り替えてもよい。また、出力モード切替部５２は、携帯電話機２がテレビ１と通信接続されたことを示す情報を通信部４３から受信して、携帯電話機２の出力モードを通常出力モードから外部出力モードに切り替えてもよい。また、出力モード切替部５２は、携帯電話機２がテレビ１との通信接続を終了したことを示す情報を通信部４３から受信して、携帯電話機２の出力モードを外部出力モードから通常出力モードに切り替えてもよい。
【０１０３】
携帯電話機制御部５３は、操作部４４から送信された携帯電話機２を動作させるためのキー情報（携帯電話機キー情報）に基づいて、携帯電話機２を制御するものである。例えば、携帯電話機制御部５３は、受信した携帯電話機キー情報が音声通話の開始を示すものであれば、所定の相手と音声通話を開始するように携帯電話機２を制御し、音声通話を開始したことを示す画像を表示制御部５１に生成するように指示する。また、携帯電話機制御部５３は、受信した携帯電話機キー情報が記憶部４１に格納されている動画の再生を示すものであれば、所定の動画を再生するように制御し、表示制御部５１に再生する動画を出力するように指示する。
【０１０４】
キー変換情報特定部５４は、テレビ１から通信部４３を介して、テレビ１の機種情報を受信して、キー変換情報の特定処理を実行するものである。具体的には、キー変換情報特定部５４は、記憶部４１のキー変換情報特定テーブル記憶部６２に格納されているキー変換情報特定テーブル（第１の特定テーブル）を参照して、受信したテレビ１の機種情報に対応付けられているキー変換情報を特定し、特定したキー変換情報をキー変換情報記憶部６１から読み出す。そして、キー変換情報特定部５４は、読み出したキー変換情報を通信部４３を介してテレビ１に送信する。
【０１０５】
本実施形態では、キー変換情報特定部５４は、テレビ１からテレビ１の機種情報として「ＴＶ１２３４Ａ」という情報を受信し、図９に示すキー変換情報特定テーブルを参照して、「ＴＶ１２３４Ａ」に対応するキー変換情報ＩＤ「００１」を特定し、キー変換情報記憶部６１に格納されているキー変換情報の中から、キー変換情報ＩＤが「００１」であるキー変換情報を読み出す。
【０１０６】
記憶部４１は、制御部４０が実行する制御プログラムおよびＯＳプログラム、ならびに、制御部４０が、携帯電話機２が有する各種機能（例えば、後述の、初期設定処理、携帯電話機キー情報解析処理など）を実行するときに読み出す各種の固定データを記憶するものである。本実施形態では、記憶部４１には、例えば、キー変換情報記憶部６１、および、キー変換情報特定テーブル記憶部６２が含まれており、各種の固定データを記憶する。記憶部４１は、例えば、内容の書き換えが可能な不揮発性メモリである、ＥＰＲＯＭ、ＥＥＰＲＯＭ、フラッシュメモリなどで実現される。なお、内容の書き換えが不要な情報を記憶する記憶部としては、上述したとおり、記憶部４１とは別の、図示しない、読出し専用の半導体メモリであるＲＯＭなどで実現されてもよい。
【０１０７】
キー変換情報記憶部６１は、１つまたは複数のキー変換情報を格納するものである。各キー変換情報には、キー変換情報を一意に特定するキー変換情報ＩＤが付与されている。キー変換情報記憶部６１に格納されているキー変換情報の一例として、図７に示すキー変換情報であってよい。
【０１０８】
キー変換情報特定テーブル記憶部６２は、テレビ１の機種情報から、キー変換情報を特定する際にキー変換情報特定部５４が参照するキー変換情報特定テーブルを格納するものである。キー変換情報特定テーブル記憶部６２に格納されているキー変換情報特定テーブルとして、例えば、図９に示すキー変換情報特定テーブルであってよい。図９は、キー変換情報特定テーブルの一例を示す図である。図９に示すように、キー変換情報特定テーブルでは、テレビの機種情報とキー変換情報ＩＤとが対応付けられている。
【０１０９】
〔テレビ１および携帯電話機２の処理の流れ〕
本実施形態に係るテレビ１および携帯電話機２の処理の流れについて、図１０および図１１に基づいて説明する。図１０は、表示システム３に含まれるテレビ１及び携帯電話機２の処理の流れの一例を示すフローチャートである。
【０１１０】
図１０に示すように、まず、テレビ１は、通常表示モードで動作しているものとし（Ｓ１）、携帯電話機２は、通常出力モードで動作しているものとする（Ｓ１１）。
【０１１１】
テレビ１が通常表示モードで動作している間、表示モード切替部２４は、外部入力表示モードへの切替指示が入力されるのを待つ（Ｓ２）。外部入力表示モードへの切替指示の入力がない場合（Ｓ２でＮＯ）、表示モード切替部２４は、表示モードの切り替えを行わず、テレビ１は通常表示モードで動作する（Ｓ１）。一方、外部入力表示モードへの切替指示がテレビ１に入力されると（Ｓ２でＹＥＳ）、表示モード切替部２４は、表示モードを外部入力表示モードに切り替える。そして、テレビ１は、外部入力表示モードで動作する。
【０１１２】
また、携帯電話機２が通常出力モードで動作している間、出力モード切替部５２は、外部出力モードへの切替指示が入力されるのを待つ（Ｓ１２）。外部出力モードへの切替指示の入力がない場合（Ｓ１２でＮＯ）、出力モード切替部５２は、出力モードの切り替えを行わず、携帯電話機２は通常出力モードで動作する（Ｓ１１）。一方、外部出力モードへの切替指示が携帯電話機２に入力されると（Ｓ１２でＹＥＳ）、出力モード切替部５２は、出力モードを外部出力モードに切り替える。そして、携帯電話機２は、外部出力モードで動作する。
【０１１３】
テレビ１が外部入力表示モードに移行し、携帯電話機２が外部出力モードに移行すると、テレビ１および携帯電話機２は、初期設定処理（Ｓ３、Ｓ４、Ｓ１３、Ｓ１４）を実行する。
【０１１４】
具体的には、テレビ１が外部入力表示モードに移行すると、機種情報管理部２８は、記憶部１１の機種情報記憶部３１に格納されているテレビ１の機種情報を読み出し、通信部１３を介して、読み出したテレビ１の機種情報を携帯電話機２に送信する（Ｓ３）。
【０１１５】
携帯電話機２が外部出力モードに移行後、キー変換情報特定部５４は、テレビ１から通信部４３を介して、テレビ１の機種情報を受信すると、キー変換情報の特定処理を実行する（Ｓ４）。具体的には、キー変換情報特定部５４は、記憶部４１のキー変換情報特定テーブル記憶部６２に格納されているキー変換情報特定テーブルを参照して、受信したテレビ１の機種情報に対応付けられているキー変換情報を特定し、特定したキー変換情報をキー変換情報記憶部６１から読み出す。
【０１１６】
キー変換情報特定部５４は、読み出したキー変換情報を通信部４３を介してテレビ１に送信する（Ｓ１４）。
【０１１７】
機種情報管理部２８は、テレビ１の機種情報を携帯電話機２に送信した後、携帯電話機２からキー変換情報を受信すると、受信したキー変換情報を記憶部１１のキー変換情報記憶部３２に格納する（Ｓ４）。
【０１１８】
キー変換情報特定部５４がテレビ１にキー変換情報を送信した後、携帯電話機２の表示制御部５１は、携帯電話機制御部５３の指示に基づいて画像を生成し、生成した画像を通信部４３を介して、テレビ１に送信する（Ｓ１５）。
【０１１９】
また、機種情報管理部２８がキー変換情報を格納した後、テレビ１の表示制御部２１は、表示処理を実行する（Ｓ５）。具体的には、テレビ１の表示制御部２１は、外部入力制御部２６の指示に基づいて外部入力表示画像を生成し、外部入力表示画像におけるテレビ映像表示領域には、テレビ制御部２２の指示に基づいてテレビの画像を組み込み、外部入力表示画像における携帯電話機出力画像表示領域には、通信部１３を介して受信した携帯電話機２の出力画像を組み込み、これらの画像を組み込んだ外部入力表示画像を表示部１２に表示させる。
【０１２０】
次に、キー情報受信部１４は、リモートコントローラ１５からテレビキー情報が送信されるのを待つ（Ｓ６）。ここで、キー情報受信部１４が、リモートコントローラ１５からキー情報を受信すると、テレビ１は、テレビキー情報解析処理を実行する（Ｓ７）。また、携帯電話機２は、出力画像をテレビ１に送信した後、携帯電話機キー情報解析処理を実行する（Ｓ１６）。テレビ１のテレビキー情報解析処理および携帯電話機２の携帯電話機キー情報解析処理の詳細については、後述する。
【０１２１】
テレビキー情報解析処理が実行された後、もしくは、Ｓ６においてキー情報受信部１４がキー情報を受信しなかった場合（Ｓ６でＮＯ）、表示モード切替部２４は、通常表示モードへの切替指示が入力されるのを待つ（Ｓ８）。テレビ１に通常表示モードへの切替指示が入力されなければ（Ｓ８でＮＯ）、再度、テレビ１の表示制御部２１は、表示処理を実行する（Ｓ５）。一方、テレビ１に通常表示モードへの切替指示が入力されると（Ｓ８でＹＥＳ）、表示モード切替部２４は、表示モードを通常表示モードに切り替える。そして、テレビ１は、通常表示モードに移行する（Ｓ９）。テレビ１は、通常表示モードに移行した後、通常表示モードで動作する（Ｓ１）。
【０１２２】
また、携帯電話機キー情報解析処理が実行された後、出力モード切替部５２は、通常出力モードへの切替指示が入力されるのを待つ（Ｓ１７）。携帯電話機２に通常出力モードへの切替指示が入力されなければ（Ｓ１７でＮＯ）、再度、携帯電話機２の表示制御部５１は、携帯電話機制御部５３の指示に基づいて画像を生成し、生成した画像を通信部４３を介して、テレビ１に送信する（Ｓ１５）。一方、携帯電話機２に通常出力モードへの切替指示が入力されると（Ｓ１７でＹＥＳ）、出力モード切替部５２は、表示モードを通常出力モードに切り替える。そして、携帯電話機２は、通常出力モードに移行する（Ｓ１８）。携帯電話機２は、通常出力モードに移行した後、通常出力モードで動作する（Ｓ１１）。
【０１２３】
なお、Ｓ９においてテレビ１が通常表示モードに戻り、Ｓ１８において携帯電話機２が通常出力モードに戻った後、再び、テレビ１が外部入力表示モードに移行し、携帯電話機２が外部出力モードに移行した場合、テレビ１および携帯電話機２は、初期設定処理を実行しなくてもよい。つまり、この場合、テレビ１は、Ｓ３およびＳ４の処理を実行しなくてもよく、また、携帯電話機２は、Ｓ１３およびＳ１４の処理を実行しなくてもよい。
【０１２４】
〔テレビキー情報解析処理および携帯電話機キー情報解析処理の流れ〕
次に、図１０に示すＳ７のテレビキー情報解析処理、および、Ｓ１６の携帯電話機キー情報解析処理の流れについて、図１１に基づいて説明する。図１１は、テレビキー情報解析処理、および、携帯電話機キー情報解析処理の流れの一例を示すフローチャートである。
【０１２５】
まず、テレビ１が実行するテレビキー情報解析処理について説明する。
【０１２６】
キー情報受信部１４がリモートコントローラ１５からテレビキー情報を受信する（Ｓ２１）。キー情報受信部１４がテレビキー情報を受信すると、制御部１０は、テレビ１の操作モードがテレビ操作モードであるか、携帯電話機操作モードであるかを判定する（Ｓ２２）。テレビ１の操作モードがテレビ操作モードである場合、テレビ制御部２２は、キー情報受信部１４が受信したテレビキー情報に基づく処理を行う（Ｓ２３）。
【０１２７】
一方、テレビ１の操作モードが携帯電話機操作モードである場合、キー情報変換部２７は、記憶部１１のキー変換情報記憶部３２に格納されているキー変換情報を参照して、キー情報受信部１４が受信したテレビキー情報を、対応する携帯電話機キー情報に変換する（Ｓ２４）。そして、キー情報変換部２７は、変換後の携帯電話機キー情報を通信部１３を介して携帯電話機２に送信する（Ｓ２５）。
【０１２８】
次に携帯電話機２が実行する携帯電話機キー情報解析処理について説明する。
【０１２９】
携帯電話機２の携帯電話機制御部５３は、テレビ１から携帯電話機キー情報が送信されるのを待つ（Ｓ３１）。テレビ１から携帯電話機キー情報を受信すると（Ｓ３１でＹＥＳ）、携帯電話機制御部５３は、受信した携帯電話機キー情報に基づく処理を実行する（Ｓ３２）。一方、テレビ１から携帯電話機キー情報が送信されなければ（Ｓ３１でＮＯ）、携帯電話機制御部５３は、何も処理をせず、携帯電話機キー情報解析処理を終了する。
【０１３０】
上述のように、本発明に係る表示システム３では、テレビ１は、リモートコントローラ１５からテレビキー情報を受信し、受信したテレビキー情報を対応する携帯電話機キー情報に変換して、変換後の携帯電話機キー情報を携帯電話機２に送信する。次に、携帯電話機２は、受信した携帯電話機キー情報に基づいて動作し、出力画像をテレビ１に送信する。そして、テレビ１は、携帯電話機２が出力する出力画像を受信して、受信した出力画像を表示する。
【０１３１】
そのため、テレビ１を視聴するユーザは、リモートコントローラ１５を操作してテレビ１にテレビキー情報を送信することによって、送信したテレビキー情報に対応する携帯電話機キー情報に基づいて携帯電話機２を動作させて、テレビ１にその動作に基づく携帯電話機２の出力画像を表示させることができる。すなわち、ユーザは、テレビ１に携帯電話機２の出力画像を表示させている状態において、リモートコントローラ１５を操作することによって、携帯電話機２を操作し、その操作に基づく携帯電話機２の出力画像をテレビ１に表示させることができる。
【０１３２】
よって、ユーザは、テレビ１に携帯電話機２の出力画像を表示させている状態であっても、リモートコントローラ１５のみを操作して、テレビ１に表示させている画像を制御することができるという効果を奏する。つまり、ユーザがリモートコントローラ１５および携帯電話機２の両方を操作する必要がないため、テレビ１に携帯電話機２の出力画像を表示させている状態において、ユーザの操作を簡易にすることができるという効果を奏する。
【０１３３】
さらに、一般的に、リモートコントローラ１５に備えられたキー（操作ボタン）の方が、携帯電話機２のキー（操作ボタン）より大きいため、リモートコントローラ１５の方が操作しやすい。そのため、テレビ１に携帯電話機２の出力画像を表示させている状態において、携帯電話機２を操作することによって、テレビ１および携帯電話機２を制御するより、リモートコントローラ１５を操作することによって、テレビ１および携帯電話機２を制御した方が操作性が向上し、ユーザにとって利便性が高くなる。
【０１３４】
また、上述のように、本発明に係る表示システム３では、テレビ１にキーガイダンスを表示することによって、ユーザは、リモートコントローラ１５のキーが携帯電話機２のどのキーに対応しているかを知ることができる。これにより、ユーザは、リモートコントローラ１５を操作して、携帯電話機２に所望の動作を実行させることができる。
【０１３５】
その上、一般的に、携帯電話機２は、他の操作機器（リモートコントローラ１５など）と異なり、固有のキー（操作ボタン）を備えている。また、携帯電話機２のキーは、他の操作機器と同機能のキーを備えていたとしても、そのキーの位置（キー配置）は、他の操作機器と異なる場合が多い。そのため、図５に示すようなキーガイダンスを表示することによって、ユーザは、携帯電話機２が固有に備えるキーであっても、そのキーがリモートコントローラ１５等の操作機器のどのキーに対応しているかを直感的に理解することができる。
【０１３６】
また、上述のように、本発明に係る表示システム３では、携帯電話機２は、テレビ１からテレビ１の機種情報を取得し、テレビ１の機種情報に対応付けられているキー変換情報を特定し、特定したキー変換情報をテレビ１に送信する。これにより、出力画像の送信先であるテレビ１に対応するキー変換情報を特定し、そのキー変換情報を対応するテレビ１に送信することができる。
【０１３７】
すなわち、携帯電話機２が、出力画像の送信先であるテレビ１等の外部機器の機種を判別し、判別した機種に応じたキー変換情報を、当該外部機器に供給することによって、携帯電話機２の出力画像の送信先として、テレビやＰＣ、他の携帯電話機等の様々な種類の外部機器に適用することができる。
【０１３８】
〔前提となる第２の実施形態〕
上記の実施形態では、携帯電話機２のキー変換情報特定部５４がテレビ１の機種情報を用いて、記憶部４１に格納されているキー変換情報を特定したが、本発明の前提となる第２の実施形態として、携帯電話機２のキー変換情報特定部５４が、テレビ１の機種情報および自装置（携帯電話機２）の機種情報を用いて、ネットワーク上のサーバ（不図示）から、キー変換情報を取得する例を、図１２および図１３に基づいて説明する。第２の実施形態では、上記の実施形態において、以下に説明するように、記憶部４１に格納されている情報と、キー変換情報特定部５４が実行する処理とが異なるのみで、その他の構成は、上記の実施形態と同様である。
【０１３９】
本実施形態では、携帯電話機２の記憶部４１には、キー変換情報およびキー変換情報特定テーブルが格納されておらず、代わりに、携帯電話機２の機種情報（第２の機種情報）が格納されている。携帯電話機２の記憶部４１に格納されている携帯電話機２の機種情報は、例えば、図１２に示すようなデータであればよい。図１２は、携帯電話機２の機種情報の一例を示す図である。図１２に示す例では、携帯電話機２の記憶部４１には、携帯電話機２の機種情報として、携帯電話機２の機種を識別する文字列「ＨＰ９８７６Ｚ」が格納されている。
【０１４０】
また、本実施形態では、携帯電話機２は、通信部４３がネットワークを介してサーバと接続しており、携帯電話機２は、当該サーバとデータのやりとりが可能な状態である。このサーバには、図１３に示すキー変換情報特定テーブル（第２の特定テーブル）と、図７に示すキー変換情報とが格納されている。なお、サーバには、キー変換情報が１つまたは複数格納されている。
【０１４１】
本実施形態において、図１３に示すように、キー変換情報特定テーブルは、テレビ１の機種情報および携帯電話機２の機種情報と、キー変換情報ＩＤとが対応付けられている。
【０１４２】
次に、キー変換情報特定部５４が実行するキー変換情報の特定処理について説明する。まず、キー変換情報特定部５４は、テレビ１から通信部４３を介して、テレビ１の機種情報「ＴＶ１２３４Ａ」を受信すると、記憶部４１から図１２に示す携帯電話機２の機種情報「ＨＰ９８７６Ｚ」を読み出す。次に、キー変換情報特定部５４は、サーバに格納されているキー変換情報特定テーブル（図１３）を参照し、受信したテレビ１の機種情報「ＴＶ１２３４Ａ」と、読み出した携帯電話機２の機種情報「ＨＰ９８７６Ｚ」とに対応付けられているキー変換情報ＩＤ「００１」を特定する。そして、キー変換情報特定部５４は、特定したキー変換情報ＩＤが「００１」であるキー変換情報（図７）を、サーバから取得する。取得した後、キー変換情報特定部５４は、取得したキー変換情報をテレビ１に送信する。
【０１４３】
〔変形例１〕
上記の実施形態では、テレビ１と携帯電話機２とがＨＤＭＩケーブルで接続されているが、変形例１として、テレビ１と携帯電話機２とがＢｌｕｅｔｏｏｔｈ（登録商標）によって無線接続されている例を説明する。変形例１では、上記の実施形態において、テレビ１と携帯電話機２との接続方式が異なるのみで、その他の構成は、上記の実施形態と同様である。
【０１４４】
テレビ１と携帯電話機２とがＢｌｕｅｔｏｏｔｈ（登録商標）によって無線接続されている場合、携帯電話機２の表示制御部５１は、出力画像をテレビ１に送信する際に、Ｂｌｕｅｔｏｏｔｈのプロファイルの１つである、Video Distribution Profile（ＶＤＰ）を使用して送信する。また、テレビ１のキー情報変換部２７は、変換後の携帯電話機キー情報を携帯電話機２に送信する際に、Ｂｌｕｅｔｏｏｔｈのプロファイルの１つである、Human Interface Device Profile（ＨＩＤ）を使用して送信する。
【０１４５】
〔第３の実施形態〕
以下、本発明の実施形態である第３の実施形態について、図１４〜図１９に基づいて詳細に説明する。
【０１４６】
なお、上述の実施形態と同じ構成要素については、同一の部材番号を付し、その説明を省略する。ここでは、上述の実施形態との相違点を中心に説明し、特に説明していない構成要素は、上述の実施形態と同様の構成・機能を有するものとする。
【０１４７】
〔システムの概要〕
第３の実施形態の表示システム（音声通話システム）６の概要について、図１４に基づいて説明する。図１４は、本実施形態に係る表示システム６の概要を示す図である。図示のように、表示システム６は、テレビ（情報処理装置）４と、携帯電話機（通話装置）５と、リモートコントローラ（遠隔操作装置）１６とを含むシステムである。
【０１４８】
テレビ４は、図２のテレビ１と同様の機能を有するとともに、音声信号の送受信機能を有するものである。なお、詳細は後述するが、テレビ４が送受信する音声信号は、携帯電話機５の通話機能によって、該携帯電話機５と、通話先の装置である通話相手装置（図示せず）との間で送受信される音声信号である。
【０１４９】
携帯電話機５は、図２の携帯電話機２と同様の機能を有する。また、通話の開始および終了をテレビ４に通知する機能と、通話相手装置との間で送受信される音声信号の入力経路および出力経路を制御する機能を有する。なお、携帯電話機５による通話は、携帯電話網を介して行われるものであってもよいし、インターネット等のような他の通信ネットワークを介して行われるものであってもよい。
【０１５０】
リモートコントローラ１６は、図２のリモートコントローラ１５と同様の機能を有するとともに、ユーザの声を音声信号に変換することによって、携帯電話機５の通話相手装置に送信する音声信号を生成し、これをテレビ４に送信する機能と、テレビ４から携帯電話機５の通話相手装置から受信した音声信号を受信して音声出力する機能とを有する。
【０１５１】
以上のような構成を有する、表示システム６では、携帯電話機５に着信があったときに、リモートコントローラ１６を操作して、通話を開始することができる。そして、通話開始後、携帯電話機５が通話相手装置から受信した音声信号を、テレビ４を介してリモートコントローラ１６に送信し、リモートコントローラ１６から音声出力する。
【０１５２】
これにより、ユーザは、リモートコントローラ１６にて携帯電話機５を操作して通話を開始したときに、手元に携帯電話機５がなくとも、操作中のリモートコントローラ１６から通話相手の声を聞くことができる。
【０１５３】
また、表示システム６では、リモートコントローラ１６に対して音声入力ができるようになっている。そして、通話開始後に、リモートコントローラ１６に入力された音声は、通話相手装置に送信する音声信号としてテレビ４に送信され、テレビ４から携帯電話機５に送信されて、通話相手装置に送信される。
【０１５４】
このように、表示システム６では、リモートコントローラ１６で携帯電話機５を操作して通話を開始して、リモートコントローラ１６を用いて通話をすることができるようになっている。
【０１５５】
なお、表示システム６は、通話を行う通話装置と、通話装置の動作を制御する情報処理装置とを含むものであればよく、その構成要素はテレビ４と携帯電話機５に限られない。例えば、テレビ４の代わりにパーソナルコンピュータ等を適用することもできる。また、パーソナルコンピュータを適用する場合には、パーソナルコンピュータ自体が表示装置を備えていなくともよく、この場合には、表示装置とパーソナルコンピュータとが画像信号を送受信できるように、有線または無線で通信接続されていればよい。
【０１５６】
続いて、テレビ４、リモートコントローラ１６及び携帯電話機５の構成について、図１５に基づいて説明する。図１５は、表示システム６に含まれるテレビ４、携帯電話機５、およびリモートコントローラ１６の要部構成を示すブロック図である。
【０１５７】
＜テレビ４の構成＞
図示のように、テレビ４は、図１のテレビ１が有する構成に加えて、テレビ側音声送受信部８４を備える。さらに、テレビ４の制御部１００は、図１のテレビ１の制御部１０が有する構成に加えて、通話開始/終了通知受信部（通話検出手段）８１と、テレビ側音声送受信制御部８２と、テレビ側通話制御部（受信音声転送手段、送信音声転送手段）８３とを備える。
【０１５８】
通話開始/終了通知受信部８１は、携帯電話機５から送信される通話開始通知および通話終了通知を受信することによって、携帯電話機５が通話を開始したことを検出する。また、通話開始/終了通知受信部８１は、通話開始通知を受信したときには、携帯電話機５が通話を開始した旨をテレビ側通話制御部８３に通知し、通話終了通知を受信したときには、携帯電話機５が終了を開始した旨をテレビ側通話制御部８３に通知する。
【０１５９】
テレビ側音声送受信制御部８２は、音声信号の送受信を制御する。具体的には、テレビ側音声送受信部８４を介してリモートコントローラ１６から受信した音声信号を、通信部１３から携帯電話機５に送信する。また、通信部１３を介して携帯電話機５から受信した音声信号を、テレビ側音声送受信部８４から上記リモートコントローラ１６へと送信する。
【０１６０】
このように、テレビ４では、通信部１３を介して携帯電話機５と音声信号（電話による通話のための音声信号）を送受信する。このため、通信部１３は、音声信号の送受信が可能な構成とする必要がある。
【０１６１】
テレビ側通話制御部８３は、リモートコントローラ１６を用いた通話を可能にするための制御を行う。具体的には、テレビ側通話制御部８３は、通話開始/終了通知受信部８１が通話開始通知を受信した後、テレビ側音声送受信制御部８２に指示して、リモートコントローラ１６から受信した音声信号を携帯電話機５に送信して通話相手装置に送信させ、携帯電話機５から受信した音声信号をリモートコントローラ１６に送信して出力させる処理を開始する。また、テレビ側通話制御部８３は、通話開始/終了通知受信部８１が通話終了通知を受信したときには、テレビ側音声送受信制御部８２に指示してこの処理を終了させる。
【０１６２】
テレビ側音声送受信部８４は、テレビ４とリモートコントローラ１６との間で音声信号の送受信を行うためのインターフェースである。テレビ側音声送受信部８４は、電話による音声信号の送信及び受信が可能なものであればよい。
【０１６３】
＜リモートコントローラ１６の構成＞
リモートコントローラ１６は、図１のリモートコントローラ１５が有する構成に加えて、リモコン側音声送受信部８５と、音声出力部（音声出力装置）８６と、音声入力部（音声入力装置）８７とを備える。
【０１６４】
リモコン側音声送受信部８５は、テレビ側音声送受信部８４と同様に、音声信号の送受信を行うためのインターフェースであり、テレビ側音声送受信部８４と音声信号の送受信を行う。
【０１６５】
音声出力部８６は、音声信号を音声に変換して出力する。具体的には、音声出力部８６は、リモコン側音声送受信部８５を介してテレビ４から受信した受信音声信号を音声に変換して出力する。音声出力部８６としては、一般的なスピーカを適用することもできる。
【０１６６】
音声入力部８７は、入力された音声を音声信号に変換して出力する。具体的には、音声入力部８７は、入力されたユーザの音声を送信音声信号に変換して、リモコン側音声送受信部８５に出力する。リモコン側音声送受信部８５は、この送信音声信号をテレビ４に送信する。音声入力部８７としては、一般的なマイクを適用することもできる。
【０１６７】
＜携帯電話機５の構成＞
携帯電話機５の制御部４００は、図１の携帯電話機２の制御部４０が有する構成に加えて、通話開始/終了通知部（通話開始通知手段）９１と、携帯側音声送受信制御部９２と、携帯側通話制御部（通話装置側受信音声転送手段、通話装置側送信音声転送手段）９３とを備える。
【０１６８】
通話開始/終了通知部９１は、携帯電話機操作モードにおいて、携帯電話機５で通話が開始されたこと（通話のための通信が開始されたこと）を検出して、その旨を携帯側通話制御部９３に通知するとともに、通話が開始されたことを示す通話開始通知をテレビ４に送信する。また、通話開始/終了通知部９１は、携帯電話機５で通話が終了されたことを検出して、その旨を携帯側通話制御部９３に通知するとともに、通話が終了されたことを示す通話終了通知をテレビ４に送信する。なお、テレビ４への通知の送信は、通信部４３を介して行う。
【０１６９】
携帯側音声送受信制御部９２は、携帯側通話制御部９３の指示に従い、通話時における音声信号の送受信経路を制御する。具体的には、携帯側音声送受信制御部９２は、通話相手装置から受信した音声信号を、自機のスピーカ（図示せず）から出力する。また、自機のマイク（図示せず）に入力された音声に基づき生成された音声信号を通話相手装置に送信する。そして、携帯側通話制御部９３の指示があった場合には、携帯側音声送受信制御部９２は、通話相手装置から受信した音声信号を、通信部４３を介してテレビ４に送信する。また、通信部４３を介してテレビ４から受信した音声信号を通話相手装置に送信する。
【０１７０】
携帯側通話制御部９３は、通話開始/終了通知部９１が通話開始通知を送信した後、リモートコントローラ１６を用いた通話を可能にするための制御を行う。具体的には、携帯側通話制御部９３は、通話開始/終了通知部９１から通話が開始された旨の通知を受信すると、通話開始/終了通知部９１に指示して、通話開始通知を、通信部４３を介してテレビ４に送信させる。また、携帯側音声送受信制御部９２に指示して、通話相手装置から受信した音声信号を、通信部４３を介してテレビ４に送信させる。そして、通信部４３を介してテレビ４から受信した音声信号を通話相手装置に送信させる。
【０１７１】
また、携帯側音声送受信制御部９２は、通話開始/終了通知部９１が通話終了通知を送信した後、携帯側音声送受信制御部９２に指示して、音声信号の送受信を終了（停止）させる。
【０１７２】
〔テレビ４および携帯電話機５が実行する処理の流れ〕
テレビ４および携帯電話機５が実行する処理の流れについて、図１６に基づいて説明する。図１６は、表示システム６に含まれるテレビ４及び携帯電話機５が実行する処理の一例を示すフローチャートである。なお、図１６のＳ１〜Ｓ９、Ｓ１１〜Ｓ１８の処理は、図１０のＳ１〜Ｓ９、Ｓ１１〜Ｓ１８の処理と同様であるから、ここでは説明を省略する。
【０１７３】
テレビ４では、Ｓ２で外部入力表示モードへの切り替えが確認された後のＳ７においてテレビキー情報解析処理を行い、テレビキー情報解析処理で生成した携帯電話機キー情報を携帯電話機５に送信する。
【０１７４】
このように、外部入力表示モード（より詳細には携帯電話機操作モード）となったテレビ４では、リモートコントローラ１６から受信したテレビキー情報（制御信号）に対応する携帯電話機キー情報（通話装置制御信号）を携帯電話機５に送信して、携帯電話機５の動作を制御する。このため、携帯電話機操作モードは、テレビ４が携帯電話機５を制御する通話装置制御モードと言うことができる。
【０１７５】
そして、Ｓ７に続くＳ４１では、テレビ側通話制御部８３が、音声通話の開始通知である通話開始通知または音声通話の終了通知である通話終了通知を受信したか確認する（Ｓ４１）。
【０１７６】
ここで、通話開始通知または通話終了通知の受信が確認された場合（Ｓ４１でＹＥＳ）には、Ｓ４２の処理に進み、確認されなかった場合（Ｓ４１でＮＯ）にはＳ８の処理に進む。
【０１７７】
Ｓ４１では、テレビ側通話制御部８３は、受信を確認した通話開始通知または通話終了通知に基づいて、テレビ側音声制御変更処理を行い、音声信号の送受信を開始または終了する。テレビ側音声制御変更処理の終了後、処理はＳ８に進む。なお、テレビ側音声制御変更処理の詳細については後述する。
【０１７８】
一方、携帯電話機５では、Ｓ１２で外部出力モードへの切り替えが確認された後のＳ１６においてテレビ４から受信した携帯電話機キー情報に基づいて、携帯電話機キー情報解析処理を行う。
【０１７９】
このように、外部出力モードとなった携帯電話機５では、テレビ４から受信する携帯電話機キー情報に従って処理を行うので、外部出力モードは、テレビ４からの制御を受ける被制御モードと言うことができる。
【０１８０】
そして、Ｓ１６に続くＳ５１では、通話開始/終了通知部９１が、音声通話を開始または終了したかどうかを確認する。なお、音声通話の開始/終了は、携帯電話機制御部５３が音声通話を開始/終了したことを検出して判断してもよい。
【０１８１】
ここで、音声通話の開始または終了が確認された場合（Ｓ５１でＹＥＳ）には、通話開始/終了通知部９１が通話の開始を携帯側通話制御部９３に通知して、処理はＳ５２に進み、確認されなかった場合（Ｓ５１でＮＯ）にはＳ１７の処理に進む。
【０１８２】
Ｓ５２では、携帯側通話制御部９３が、携帯側音声制御変更処理を行う（Ｓ５２）。携帯側音声制御変更処理では、通話開始/終了通知部９１が、音声通話開始通知または音声通話終了通知をテレビ４に送信し、また、携帯側通話制御部９３が、音声信号の送受信態様（経路）を変更する。携帯側音声制御変更処理の後、処理はＳ１７に進む。なお、携帯側音声制御変更処理の詳細は後述する。
【０１８３】
〔テレビ側及び携帯側音声制御変更処理の流れ〕
次に、図１６のテレビ側音声制御変更処理（Ｓ４１）、及び携帯側音声制御変更処理（Ｓ５２）の流れについて、図１７に基づいて説明する。図１７は、テレビ側音声制御変更処理及び携帯側音声制御変更処理の一例を示すフローチャートである。
【０１８４】
まず、テレビ側音声制御変更処理について説明する。
【０１８５】
携帯電話機５から通話開始通知、または通話終了通知を受信した、通話開始/終了通知受信部８１は、受信した通知が通話開始通知であるか通話終了通知であるかを確認する（Ｓ６１）。そして、通話開始/終了通知受信部８１は、確認の結果をテレビ側通話制御部８３に通知する。
【０１８６】
上記通話開始/終了通知受信部８１から通話開始通知を検出した旨の通知を受信したテレビ側通話制御部８３は、リモートコントローラ１６のマイク（音声入力部８７）からの入力を有効にする（Ｓ６２）。具体的には、テレビ側通話制御部８３は、テレビ側音声送受信制御部８２を、音声信号の受信待ち受け状態とする。
【０１８７】
また、テレビ側通話制御部８３は、入力された音声を携帯電話機５に送信するように制御する（Ｓ６３）。具体的には、テレビ側通話制御部８３は、テレビ側音声送受信制御部８２を介して受信した音声信号を携帯電話機５に送信するように、テレビ側音声送受信制御部８２に指示する。
【０１８８】
ここで、リモートコントローラ１６の音声入力部８７に入力された音声は、音声信号に変換されて、リモコン側音声送受信部８５からテレビ４に送信される。テレビ側音声送受信部８４は、この音声信号を受信して、テレビ側音声送受信制御部８２に出力する。そして、テレビ側音声送受信制御部８２は、受信した音声信号を携帯電話機５に送信するようにＳ６３で指示されているので、この音声信号を、通信部１３を介して携帯電話機５に送信する。
【０１８９】
すなわち、テレビ側通話制御部８３は、通話開始通知の受信を確認した場合には、リモートコントローラ１６の音声入力部８７に入力された音声を、携帯電話機５に送信するように制御する。これにより、ユーザは、リモートコントローラ１６を操作して、携帯電話機５による電話の通話を開始した後は、携帯電話機５のマイクではなく、リモートコントローラの音声入力部８７に向かって話すことにより、その話し声を携帯電話機５に伝達することができる。
【０１９０】
また、テレビ側通話制御部８３は、携帯電話機５からの通話音声をリモートコントローラ１６に出力するように制御する（Ｓ６４）。具体的には、テレビ側通話制御部８３は、通信部１３を介して受信した音声信号をリモートコントローラ１６に送信するように、テレビ側音声送受信制御部８２に指示する。Ｓ６４の処理が終了すると、テレビ側音声制御変更処理は終了となる。
【０１９１】
詳細は後述するが、携帯電話機５は、リモートコントローラ１６の操作により、音声通話が開始された場合、通話相手装置から受信した音声信号をテレビ４に送信する。このため、Ｓ６４において、通信部１３を介して受信した音声信号をリモートコントローラ１６に送信するように指示されたテレビ側音声送受信制御部８２は、この音声信号を、テレビ側音声送受信部８４を介してリモートコントローラ１６に送信する。そして、リモコン側音声送受信部８５は、この音声信号を受信して音声出力部８６に送信し、音声出力部８６は、受信した音声信号に基づき音声出力する。
【０１９２】
つまり、ユーザは、リモートコントローラ１６を操作して、携帯電話機５による電話の通話を開始した後は、携帯電話機５のスピーカではなく、リモートコントローラの音声出力部８６から、携帯電話機５による通話相手の声を聞くことができる。
【０１９３】
続いて、Ｓ６１で通話終了通知の受信が確認された場合の処理（Ｓ６５、Ｓ６６）を説明する。Ｓ６５では、テレビ側通話制御部８３は、リモートコントローラ１６のマイク（音声入力部８７）からの入力を停止する。具体的には、テレビ側通話制御部８３は、テレビ側音声送受信制御部８２の音声信号の受信待ち受け状態を解除する。これにより、テレビ側音声送受信制御部８２は、テレビ側音声送受信部８４を介して受信した音声信号を、携帯電話機５に送信しない状態となる。
【０１９４】
また、テレビ側通話制御部８３は、携帯電話機５およびリモートコントローラ１６への音声送信を停止する（Ｓ６６）。具体的には、テレビ側通話制御部８３は、通信部１３を介して受信した音声信号をリモートコントローラ１６に送信しないように、テレビ側音声送受信制御部８２に指示する。これにより、テレビ４を介した音声信号の送受信が全て終了する。Ｓ６６の処理が終了すると、テレビ側音声制御変更処理は終了となる。
【０１９５】
なお、Ｓ６５、Ｓ６６では、テレビ側通話制御部８３は、リモートコントローラ１６の音声出力部８６および音声入力部８７の動作を停止させてもよい。この場合には、例えば、テレビ４からリモートコントローラ１６に制御信号を送信できるような通信インターフェースを設けるとともに、リモートコントローラ１６には音声出力部８６および音声入力部８７のＯＮ/ＯＦＦを切り替えさせる制御部を設ければよい。これにより、上記通信インターフェースを介して、テレビ側通話制御部８３からリモートコントローラ１６の制御部に制御信号を送信して、音声出力部８６および音声入力部８７をＯＦＦにすることによって音声信号の生成および出力を停止させることができる。
【０１９６】
次に、携帯電話機５が行う携帯側音声制御変更処理について説明する。
【０１９７】
携帯側通話制御部９３は、音声通話が開始されたときに、通話開始/終了通知部９１に指示して、音声通話開始通知をテレビ４に送信させる。また、音声通話が終了されたときには、音声通話終了通知をテレビ４に送信させる。指示を受けた通話開始/終了通知部９１は、通信部４３を介して音声通話開始通知または音声通話終了通知をテレビ４に送信する（Ｓ７１）。
【０１９８】
続いて、携帯側通話制御部９３は、音声通話が開始されたか、終了されたかを確認する（Ｓ７２）。
【０１９９】
ここで、音声通話が開始されたことを確認した場合には、Ｓ７３の処理に進み、通話音声の出力を自機のスピーカからテレビ４に変更する。具体的には、携帯側通話制御部９３は、携帯側音声送受信制御部９２に指示して、通話相手装置から受信した音声信号をテレビ４に送信させる。この指示を受信した携帯側音声送受信制御部９２は、以後、通話相手装置から受信した音声信号を、通信部４３を介してテレビ４に送信する。
【０２００】
また、携帯側通話制御部９３は、音声の入力を、自機のマイクから、テレビ４からの入力に変更する（Ｓ７４）。具体的には、携帯側通話制御部９３は、携帯側音声送受信制御部９２に指示して、テレビ４から受信する音声信号を、通話相手装置に送信させる。この指示を受信した携帯側音声送受信制御部９２は、以後、通信部４３を介してテレビ４から受信した音声信号を、通話相手装置に送信する。Ｓ７４の処理が終了すると、携帯側音声制御変更処理は終了となる。
【０２０１】
一方、Ｓ７２において、音声通話が終了されたことを確認した場合、処理はＳ７５に進む。Ｓ７５では、携帯側通話制御部９３は、音声の制御を通常に戻す。具体的には、携帯側通話制御部９３は、携帯側音声送受信制御部９２に指示して、通話相手装置から受信した音声信号のテレビ４への送信を終了させ、当該音声信号の出力先を自機のスピーカに切り換えさせる。また、携帯側通話制御部９３は、携帯側音声送受信制御部９２に指示して、テレビ４から受信した音声信号の通話相手装置への送信を終了させ、当該音声信号の入力元を自機のマイクに切り換えさせる。
【０２０２】
これにより、携帯電話機５は、自機が備えるスピーカとマイクで通話を行う通常の状態に戻り、携帯側音声制御変更処理は終了となる。なお、この状態に戻す処理を行うタイミングはこの例に限られない。例えば、携帯電話機操作モードが終了したタイミングで行ってもよい。
【０２０３】
以上のように、表示システム６では、携帯電話機５は、リモートコントローラ１６の操作によって、音声通話が開始されたときには、通話開始通知をテレビ４に通知するとともに、通話相手装置から受信した音声信号の出力先をテレビ４に切り換え、通話相手装置に送信する音声信号の入力元をテレビ４に切り換える。
【０２０４】
そして、通話開始通知を受信したテレビ４は、リモートコントローラ１６の音声入力部８７に入力された音声に基づき生成された音声信号を受信して、携帯電話機５に送信するとともに、携帯電話機５から受信した、通話相手装置から受信した音声信号をリモートコントローラ１６に送信して、リモートコントローラ１６の音声出力部８６から音声出力させる。
【０２０５】
また、リモートコントローラ１６の操作によって、音声通話が終了されたときには、携帯電話機５は、通話終了通知をテレビ４に通知するとともに、通話相手装置から受信した音声信号の出力先を自機のスピーカに戻し、通話相手装置に送信する音声信号の入力元を自機のマイクに戻す。
【０２０６】
これにより、ユーザは、リモートコントローラ１６を操作して通話を開始することができるとともに、通話開始後は、リモートコントローラ１６を用いて音声通話を行うことができる。つまり、ユーザは、手元に携帯電話機５がなくとも、手持ちのリモートコントローラ１６を用いて通話を行うことができるという効果を奏する。また、リモートコントローラ１６を携帯電話機５に持ち替えることなく、スムーズに通話を行うことができるという効果を奏する。
【０２０７】
〔変形例１〕
上記では、リモートコントローラ１６を用いた音声通話が可能な表示システム６について説明したが、テレビ電話が可能なように構成することもできる。なお、テレビ電話とは、通話のための音声信号の送受信を行うとともに、互いの画像を見ながら通話ができるように、画像信号の送受信も行う通信態様を指す。
【０２０８】
ここでは、テレビ電話が可能に構成した例を図１８に基づいて説明する。図１８は、テレビ電話が可能な表示システム（音声通話システム）６ａに含まれる、テレビ（情報処理装置）４ａ、携帯電話機（通話装置）５ａ、およびリモートコントローラ１６の要部構成を示すブロック図である。なお、上述の実施形態と同じ構成要素については、同一の部材番号を付し、その説明を省略する。
【０２０９】
図１８に示すように、テレビ４ａは、第３の実施形態のテレビ４（図１５参照）が有する構成に加えて、撮影部（撮像装置）９０を備えている。また、テレビ４ａは、テレビ４の制御部１００の代わりに、テレビ側テレビ電話制御部（画像出力制御手段、画像入力制御手段）８８を含む制御部１００ａを備えている。
【０２１０】
撮影部９０は、動画像を撮像するものである。表示システム６ａでは、テレビ電話時に、撮影部９０が撮像した画像が携帯電話機５ａに送信される。なお、ここでは、テレビ４ａが撮影部９０を備えている例を示しているが、撮影部９０はテレビ４ａから独立した装置であってもよい。この場合には、テレビ４ａは、撮影部９０と有線または無線通信するためのインターフェースを備え、該インターフェースを介して、撮影部９０の動作を制御し、撮影部９０が撮像した画像を取得する構成とすればよい。
【０２１１】
テレビ側テレビ電話制御部８８は、テレビ４ａを介したテレビ電話を可能にするための制御を行う。なお、テレビ側テレビ電話制御部８８が実行する具体的な処理については後述する。
【０２１２】
一方、携帯電話機５ａは、第３の実施形態の携帯電話機５（図１５参照）の制御部４００の代わりに、携帯側テレビ電話制御部９４を含む制御部４００ａを備えている構成である。
【０２１３】
携帯側テレビ電話制御部９４は、テレビ４ａを介したテレビ電話を可能にするための制御を行う。なお、携帯側テレビ電話制御部９４が実行する具体的な処理については後述する。
【０２１４】
〔テレビ電話時の処理の流れ〕
ここでは、テレビ電話時に行われる処理の流れについて、図１９に基づいて説明する。図１９は、テレビ電話時にテレビ４ａが実行するテレビ側テレビ電話処理、およびテレビ電話時に携帯電話機５ａが実行する携帯側テレビ電話処理の一例を示すフローチャートである。
【０２１５】
なお、テレビ電話時には、通信相手との間で、音声信号と画像信号が送受信されるが、音声信号の送受信態様は、第３の実施形態と同様（図１６、１７参照）であるから、ここでは画像信号の送受信に関する処理を説明する。
【０２１６】
携帯電話機５ａに着信があり、リモートコントローラ１６の操作によって通話が開始されたときには、携帯側テレビ電話制御部９４は、テレビ電話の着信であるか否かを確認する（Ｓ８１）。なお、テレビ電話の着信であるか否かは、通話相手装置から受信した信号に画像信号が含まれているか否かによって判断してもよいし、通話相手装置から受信した信号にテレビ電話であることを示す信号が含まれているか否かによって判断してもよい。
【０２１７】
そして、テレビ電話の着信であることを確認した場合（Ｓ８１でＹＥＳ）、携帯側テレビ電話制御部９４は、通話開始/終了通知部９１に指示して、テレビ電話の着信があったことを示すテレビ電話着信通知を、通信部４３を介してテレビ４ａに送信させる（Ｓ８２）。なお、テレビ電話の着信でないことを確認した場合（Ｓ８１でＮＯ）、携帯側テレビ電話制御部９４は、携帯側テレビ電話処理を終了する。
【０２１８】
また、携帯側テレビ電話制御部９４は、通話相手装置から受信した画像信号の、通信部４３を介したテレビ４ａへの送信を開始する（Ｓ８３）。つまり、ここでは、通信部４３が、音声信号を送受信することができるものであるとともに、動画像の画像信号を送受信できるものである。通信部４３と通信するテレビ４ａの通信部１３も同様である。なお、画像信号の送信は、通信部４３とは別の通信経路で、音声信号とは別に行っても構わない。
【０２１９】
一方、テレビ４ａでは、通話開始/終了通知受信部８１が、テレビ電話着信通知の受信を待ち受けている。すなわち、本変形例における通話開始/終了通知受信部８１は、携帯電話機５ａにおける通話の開始、終了に加えて、テレビ電話の開始、終了を検出する。そして、通話開始/終了通知受信部８１は、テレビ電話着信通知の受信を確認する（Ｓ９１）と、テレビ電話による通信が開始された旨をテレビ側テレビ電話制御部８８に通知する。
【０２２０】
この通知を受信したテレビ側テレビ電話制御部８８は、撮影部９０を動作させて画像の撮像を開始（Ｓ９２）させ、撮像によって生成された画像信号の、通信部１３を介した携帯電話機５ａへの送信を開始する（Ｓ９３）。
【０２２１】
また、テレビ側テレビ電話制御部８８は、携帯電話機５ａから受信した画像信号に基づく画像（動画像）を表示部（表示装置）１２に表示させる（Ｓ９４）。なお、テレビ側テレビ電話制御部８８は、表示部１２に表示する画像を切り換えてもよいし、既に表示されていた画像と並存する形で、受信した画像信号に基づく画像を表示させてもよい。
【０２２２】
そして、携帯電話機５ａでは、テレビ４ａから受信した、撮影部９０が生成した画像信号を、携帯側テレビ電話制御部９４の制御によって、通話相手装置に送信する（Ｓ８４）。
【０２２３】
これにより、通話相手装置から受信した画像信号に基づく画像がテレビ４ａの表示部１２に表示され、撮影部９０が撮像した画像に基づく画像信号が通話相手装置に送信されるので、テレビ電話が成立する。
【０２２４】
テレビ電話中において、携帯側テレビ電話制御部９４は、テレビ電話の終了を待ち受けている（Ｓ８５）。テレビ電話の終了が確認できない場合（Ｓ８５でＮＯ）には、処理はＳ８３に戻り、引き続き画像信号の送受信を行う。
【０２２５】
一方、テレビ電話が終了したことを確認したとき（Ｓ８５でＹＥＳ）には、テレビ電話が終了したことを示すテレビ電話終了通知を、通信部４３を介してテレビ４ａに送信する（Ｓ８６）。また、携帯側テレビ電話制御部９４は、テレビ４ａに対する画像信号の送信を停止する（Ｓ８７）。
【０２２６】
そして、テレビ４ａでは、テレビ側テレビ電話制御部８８が、テレビ電話終了通知の受信を待ち受けており、テレビ電話終了通知の受信が確認される（Ｓ９５）と、撮影部９０による撮像を停止させ（Ｓ９６）、撮像によって生成された画像信号の携帯電話機５ａへの送信も停止する（Ｓ９７）。また、テレビ側テレビ電話制御部８８は、表示部１２に表示する対象をテレビ電話受信前の状態に戻す（Ｓ９８）。
【０２２７】
このように、表示システム６ａによれば、ユーザは、リモートコントローラ１６の操作によって、テレビ電話による通信を開始することができ、通信開始後は、テレビ４ａの表示部１２および撮影部９０を利用して、テレビ電話をすることができる。つまり、ユーザは、リモートコントローラ１６を携帯電話機５ａに持ち替えることなく、テレビ４ａの画面でテレビ電話を楽しむことができる。
【０２２８】
〔変形例２〕
上記では、リモートコントローラに音声入力を行い、リモートコントローラから音声出力する例を示したが、音声の入力はテレビに対して行うようにしてもよく、音声の出力はテレビから行うようにしても構わない。
【０２２９】
この場合、リモートコントローラは、図１５のようなリモコン側音声送受信部８５、音声出力部８６、音声入力部８７を備えている必要はなく、従来から用いられている一般的な構成のものとすることもできる。
【０２３０】
また、テレビは、リモートコントローラとの間で音声信号の送受信を行う必要がないため、図１５のようなテレビ側音声送受信部８４を備えている必要はないが、通話相手からの通話音声を出力するための音声出力部と、通話相手に送信する音声を入力するための音声入力部とを備えている必要がある。なお、音声出力部は、テレビ放送の音声出力のためのものを流用してもよい。
【０２３１】
このような変形例における処理は、携帯電話機から受信した音声信号をリモートコントローラに送信せず、テレビの音声出力部から出力する点、およびリモートコントローラではユーザの音声入力を受け付けず、テレビの音声入力部で受け付ける点を除けば、図１６、図１７の例と同様である。
【０２３２】
〔変形例３〕
上記では、リモートコントローラまたはテレビに音声入力部および音声出力部を備える例を説明したが、音声入力部および音声出力部は、リモートコントローラまたはテレビに接続される外付けの機器であってもよい。
【０２３３】
この場合、リモートコントローラまたはテレビは、音声入力部および音声出力部の代わりに、音声入力部を接続するための接続インターフェースと、音声出力部を接続するための接続インターフェースとを備えていればよい。なお、接続インターフェースは、例えば、接続端子のようなものであっても構わない。
【０２３４】
ここで、音声入力部および音声出力部の代わりに、音声入力部を接続するための接続インターフェースおよび音声出力部を接続するための接続インターフェースを用いた場合には、当該接続インターフェースに音声入力部および音声出力部が接続されていなければ、音声の入力および出力が行われず、通話が成立しない。
【０２３５】
このため、音声入力部および音声出力部の代わりに、音声入力部を接続するための接続インターフェースおよび音声出力部を接続するための接続インターフェースを用いる場合には、通話が開始された後、音声入力部および音声出力部が接続されているか否かを検出し、接続されていないことが検出されたときには、音や光、画像の表示等によって、ユーザに接続を促すことが好ましい。
【０２３６】
〔補足〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２３７】
最後に、テレビ１、４、４ａ、携帯電話機２、５、５ａの各ブロック、特に制御部１０、４０、１００、４００、１００ａ、および４００ａは、ハードウェアロジックによって構成してもよいし、次のようにＣＰＵを用いてソフトウェアによって実現してもよい。
【０２３８】
すなわち、テレビ１、４、４ａ、携帯電話機２、５、５ａは、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるテレビ１、４、４ａ、携帯電話機２、５、５ａの制御プログラムのプログラムコード（実行形式プログラム、中間コードプログラム、ソースプログラム）をコンピュータで読み取り可能に記録した記録媒体を、上記テレビ１、４、４ａ、携帯電話機２、５、５ａに供給し、そのコンピュータ（またはＣＰＵやＭＰＵ）が記録媒体に記録されているプログラムコードを読み出し実行することによっても、達成可能である。
【０２３９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２４０】
また、テレビ１、４、４ａ、携帯電話機２、５、５ａを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２４１】
〔本願発明の前提となる第１および第２の実施形態に記載の発明について〕
本願発明の前提となる第１および第２の実施形態に記載の発明は、以下のように表現することができる。すなわち、第１および第２の実施形態に記載の発明に係る表示装置は、端末装置から受信した画像を自装置の表示部に表示する表示装置であって、自装置を動作させるための第１の操作情報を上記端末装置以外から取得する操作情報取得手段と、上記第１の操作情報と、上記端末装置を動作させるための第２の操作情報とが対応付けられている操作情報変換テーブルを参照して、上記操作情報取得手段が取得した第１の操作情報を、対応する第２の操作情報に変換する操作情報変換手段と、上記操作情報変換手段が変換した第２の操作情報を上記端末装置に送信する操作情報送信手段とを備え、上記端末装置が、上記操作情報送信手段が送信した第２の操作情報に基づいて出力する出力画像を受信して、受信した当該出力画像を自装置の表示部に表示する表示制御手段をさらに備えることを特徴としている。
【０２４２】
また、第１および第２の実施形態に記載の発明に係る表示装置の制御方法は、端末装置から受信した画像を自装置の表示部に表示する表示装置の制御方法であって、自装置を動作させるための第１の操作情報を上記端末装置以外から取得する操作情報取得ステップと、上記第１の操作情報と、上記端末装置を動作させるための第２の操作情報とが対応付けられている操作情報変換テーブルを参照して、上記操作情報取得ステップにおいて取得した第１の操作情報を、対応する第２の操作情報に変換する操作情報変換ステップと、上記操作情報変換ステップにおいて変換した第２の操作情報を上記端末装置に送信する操作情報送信ステップとを含み、上記端末装置が、上記操作情報送信ステップにおいて送信された第２の操作情報に基づいて出力する出力画像を受信して、受信した当該出力画像を自装置の表示部に表示する表示制御ステップをさらに含むことを特徴としている。
【０２４３】
上記の構成によれば、操作情報取得手段が、表示装置を動作させるための第１の操作情報を端末装置以外から取得し、操作情報変換手段が、第１の操作情報と、端末装置を動作させるための第２の操作情報とが対応付けられている操作情報変換テーブルを参照して、操作情報取得手段が取得した第１の操作情報を、対応する第２の操作情報に変換し、操作情報送信手段が、操作情報変換手段が変換した第２の操作情報を端末装置に送信する。次に、端末装置は、操作情報送信手段が送信した第２の操作情報を受信して、受信した第２の操作情報に基づいて動作し、出力画像を出力する。そして、表示制御手段は、端末装置が出力する出力画像を受信して、受信した出力画像を表示装置の表示部に表示する。
【０２４４】
そのため、端末装置の出力画像を表示する表示装置に対して、表示装置を動作させるための第１の操作情報を送信することによって、当該第１の操作情報に対応する第２の操作情報に基づいて端末装置を動作させて、表示装置にその動作に基づく端末装置の出力画像を表示させることができる。
【０２４５】
ここで、表示装置を動作させるための第１の操作情報を送信する機器として、例えば、表示装置を視聴する際にユーザが使用する、表示装置に付属のリモートコントローラ等の操作機器が考えられる。すなわち、ユーザは、表示装置に端末装置の出力画像を表示させている状態において、表示装置を動作させるための操作機器を操作することによって、端末装置を操作し、その操作に基づく端末装置の出力画像を表示装置に表示させることができる。
【０２４６】
よって、ユーザは、表示装置に端末装置の出力画像を表示させている状態であっても、表示装置を動作させるための操作機器のみを操作して、表示装置に表示させている画像を制御することができるという効果を奏する。つまり、ユーザが表示装置に付属の操作機器および端末装置の両方を操作する必要がないため、表示装置に端末装置の出力画像を表示させている状態において、ユーザの操作が簡易になるという効果を奏する。
【０２４７】
また、第１および第２の実施形態に記載の発明に係る表示装置は、上記表示制御手段が、上記第１の操作情報と、上記第２の操作情報との対応関係を上記表示部に表示することが好ましい。
【０２４８】
上記の構成によれば、表示制御手段が、第１の操作情報と、第２の操作情報との対応関係を表示装置の表示部に表示するので、ユーザは、第１の操作情報と第２の操作情報との対応関係を知ることができる。すなわち、ユーザは、表示装置に送信する第１の操作情報によって、端末装置がどのように動作するかを予測することができる。従って、ユーザは、所望の動作を端末装置に実行させることができる。
【０２４９】
また、第１および第２の実施形態に記載の発明に係る端末装置は、上記表示装置から送信された第２の操作情報に基づいて出力する出力画像を上記表示装置に送信する端末装置であって、上記表示装置から、上記表示装置の機種を特定する第１の機種情報を取得する機種情報取得手段と、上記第１の機種情報と上記操作情報変換テーブルとが対応付けられている第１の特定テーブルを参照して、上記機種情報取得手段が取得した第１の機種情報に対応する操作情報変換テーブルを特定する操作情報変換テーブル特定手段と、上記操作情報変換テーブル特定手段が特定した操作情報変換テーブルを上記表示装置に送信する変換テーブル送信手段とを備えることが好ましい。
【０２５０】
上記の構成によれば、機種情報取得手段が、表示装置から、当該表示装置の機種を特定する第１の機種情報を取得し、操作情報変換テーブル特定手段が、第１の機種情報と操作情報変換テーブルとが対応付けられている第１の特定テーブルを参照して、機種情報取得手段が取得した第１の機種情報に対応する操作情報変換テーブルを特定し、変換テーブル送信手段が、操作情報変換テーブル特定手段が特定した操作情報変換テーブルを表示装置に送信する。
【０２５１】
そのため、端末装置は、出力画像の送信先である表示装置から当該表示装置の機種を特定する第１の機種情報を取得することによって、当該表示装置を動作させるための第１の操作情報を第２の操作情報に変換するための操作情報変換テーブルを特定して、表示装置に送信することができる。よって、端末装置は、出力画像の送信先である表示装置に対応する操作情報変換テーブルを特定し、その操作情報交換テーブルを対応する表示装置に送信することができる。
【０２５２】
また、第１および第２の実施形態に記載の発明に係る端末装置は、上記表示装置から送信された第２の操作情報に基づいて出力する出力画像を上記表示装置に送信する端末装置であって、上記表示装置から、上記表示装置の機種を特定する第１の機種情報を取得する機種情報取得手段と、上記第１の機種情報と、端末装置の機種を特定する第２の機種情報と、上記操作情報変換テーブルとが対応付けられている第２の特定テーブルを参照して、上記機種情報取得手段が取得した第１の機種情報、および、自装置の機種を特定する第２の機種情報に対応する操作情報変換テーブルを特定する操作情報変換テーブル特定手段と、上記操作情報変換テーブル特定手段が特定した操作情報変換テーブルを上記表示装置に送信する変換テーブル送信手段とを備えることが好ましい。
【０２５３】
上記の構成によれば、機種情報取得手段が、表示装置から、当該表示装置の機種を特定する第１の機種情報を取得し、操作情報変換テーブル特定手段が、第１の機種情報と、端末装置の機種を特定する第２の機種情報と、操作情報変換テーブルとが対応付けられている第２の特定テーブルを参照して、上記機種情報取得手段が取得した第１の機種情報、および、自装置の機種を特定する第２の機種情報に対応する操作情報変換テーブルを特定し、変換テーブル送信手段が、操作情報変換テーブル特定手段が特定した操作情報変換テーブルを上記表示装置に送信する。
【０２５４】
そのため、端末装置は、出力画像の送信先である表示装置から当該表示装置の機種を特定する第１の機種情報を取得することによって、当該表示装置を動作させるための第１の操作情報を、自装置を動作させるための第２の操作情報に変換するための操作情報変換テーブルを特定して、表示装置に送信することができる。よって、端末装置は、出力画像の送信先である表示装置に対応する操作情報変換テーブルを特定し、その操作情報交換テーブルを対応する表示装置に送信することができる。
【０２５５】
また、第１および第２の実施形態に記載の発明に係る表示システムは、上記表示装置と、上記端末装置とを含むことが好ましい。
【産業上の利用可能性】
【０２５６】
本発明の情報処理装置としては、通話装置と通信接続して、該通話装置の動作を制御可能なものであればよく、テレビ以外にもパーソナルコンピュータ等を適用することができる。また、本発明の通話装置としては、通話機能を有し、情報処理装置の制御に従って動作するものであればよく、携帯電話機以外の任意の通話装置を適用することができる。
【符号の説明】
【０２５７】
４、４ａ    テレビ（情報処理装置）
５、５ａ    携帯電話機（通話装置）
６、６ａ    表示システム（音声通話システム）
１２    表示部（表示装置）
１６    リモートコントローラ（遠隔操作装置）
８１    通話開始/終了通知受信部（通話検出手段）
８３    テレビ側通話制御部（受信音声転送手段、送信音声転送手段）
８６    音声出力部（音声出力装置）
８７    音声入力部（音声入力装置）
８８    テレビ側テレビ電話制御部（画像出力制御手段、画像入力制御手段）
９０    撮影部（撮像装置）
９１    通話開始/終了通知部（通話開始通知手段）
９３    携帯側通話制御部（通話装置側受信音声転送手段、通話装置側送信音声転送手段）
【図１】
2012109857.tif 000003
【図２】
2012109857.tif 000004
【図３】
2012109857.tif 000005
【図４】
2012109857.tif 000006
【図５】
2012109857.tif 000007
【図６】
2012109857.tif 000008
【図７】
2012109857.tif 000009
【図８】
2012109857.tif 000010
【図９】
2012109857.tif 000011
【図１０】
2012109857.tif 000012
【図１１】
2012109857.tif 000013
【図１２】
2012109857.tif 000014
【図１３】
2012109857.tif 000015
【図１４】
2012109857.tif 000016
【図１５】
2012109857.tif 000017
【図１６】
2012109857.tif 000018
【図１７】
2012109857.tif 000019
【図１８】
2012109857.tif 000020
【図１９】
2012109857.tif 000021